(57)【要約】近距離通信（ＮＦＣ）タグは、筐体と、筐体によって保持され、磁気センサによって磁気的に感知されるように構成されている磁石とを含む。磁気センサは、通信デバイスによって保持される。通信デバイスは、ＮＦＣ通信プロトコルを用いて通信するために、通信デバイス内のＮＦＣ回路を起動させる。データ記憶部は、磁石によって磁気的に結合される通信デバイスの機能に関するデータを記憶する。データ記憶部は、ＮＦＣ回路が起動された後に、通信デバイスによって、ＮＦＣ通信プロトコルを用いて読み取られるように構成されている。
2013506317.tif 000002
【特許請求の範囲】
【請求項１】
筐体と、
磁石であって、該磁石は、該筐体によって保持され、磁気センサによって磁気的に感知されるように構成されており、該磁気センサは、通信デバイスによって保持され、該通信デバイスは、近距離通信（ＮＦＣ）通信プロトコルを用いて通信するために、該通信デバイス内のＮＦＣ回路を起動する、磁石と、
データ記憶部であって、該データ記憶部は、該通信デバイスの機能に関するデータを記憶し、該データ記憶部は、該ＮＦＣ回路が起動された後に、ＮＦＣ通信プロトコルを用いて、該通信デバイスによって読み取られるように構成されている、データ記憶部と
を含む、ＮＦＣタグ。
【請求項２】
前記データ記憶部に接続されたプロセッサをさらに含み、該プロセッサは、該データ記憶部内に記憶されたデータを変化させるように構成されている、請求項１に記載のＮＦＣタグ。
【請求項３】
前記筐体によって保持され、前記プロセッサに接続されたＮＦＣ回路をさらに含み、該プロセッサは、前記通信デバイスから受信された命令に基づいて、前記ＮＦＣ通信プロトコルを用いてプログラム可能なように構成されている、請求項１に記載のＮＦＣタグ。
【請求項４】
通信を開始するために表面に取り付けられるステッカーであって、
該ステッカーは、
支持部と、
該支持部によって保持されている磁石であって、該磁石は、磁気センサによって磁気的に感知されるように構成されており、該磁気センサは、通信デバイスによって保持され、該通信デバイスは、ＮＦＣ通信プロトコルを用いて通信するために、該通信デバイス内のＮＦＣ回路を起動させる、磁石と、
データ記憶部であって、該データ記憶部は、該通信デバイスの機能に関するデータを記憶し、該データ記憶部は、該ＮＦＣ回路が起動された後に、ＮＦＣ通信プロトコルを用いて、該通信デバイスによって読み取られるように構成されている、データ記憶部と
を含む、ステッカー。
【請求項５】
前記データは、Ｂｌｕｅｔｏｏｔｈ（登録商標）  ＳＳＩＤおよびセキュリティキーを含む、請求項４に記載のステッカー。
【請求項６】
前記ステッカーは、前記通信デバイスによって認識可能である形状を含む、請求項４に記載のステッカー。
【請求項７】
前記ステッカーは、前記通信デバイスを整列するための参照マークを含む、請求項４に記載のステッカー。
【請求項８】
複数の近距離通信（ＮＦＣ）タグを含む通信システムであって、
該複数の近距離通信（ＮＦＣ）タグは、作業空間全体に分散されており、
各ＮＦＣタグは、
筐体と、
該筐体によって保持されている磁石であって、該磁石は、磁気センサによって磁気的に感知されるように構成されており、該磁気センサは、通信デバイスによって保持され、該通信デバイスは、該通信デバイス内のＮＦＣ回路を起動させ、ＮＦＣ通信プロトコルを用いて通信する、磁石と、
データ記憶部であって、該データ記憶部は、該通信デバイスの機能に関するデータを記憶し、該データ記憶部は、該ＮＦＣ回路が起動された後に、ＮＦＣ通信プロトコルを用いて、該通信デバイスによって読み取られるように構成されている、データ記憶部と
を含み、
各ＮＦＣタグは、該作業空間内に載置されることによって、該データ記憶部内に記憶された該通信デバイスの機能に関する命令に基づいて相互作用する、通信システム。
【請求項９】
少なくとも１つのＮＦＣタグにおいて、前記データは、Ｂｌｕｅｔｏｏｔｈ（登録商標）  ＳＳＩＤおよびセキュリティキーを含む、請求項８に記載の通信システム。
【請求項１０】
前記データ記憶部に接続されたプロセッサをさらに含み、該プロセッサは、該データ記憶部内に記憶されたデータを変化させるように構成されている、請求項８に記載の通信システム。
【請求項１１】
前記筐体によって保持され、前記プロセッサに接続されたＮＦＣ回路をさらに含み、該プロセッサは、前記通信デバイスから受信された命令に基づいて、ＮＦＣ通信プロトコルを用いてプログラム可能なように構成されている、請求項１０に記載の通信システム。
【請求項１２】
通信デバイスにおいて通信を開始する方法であって、
該方法は、
該通信デバイスを近距離通信（ＮＦＣ）ステッカーへ磁気的に結合することと、
該ＮＦＣステッカーへ磁気的に結合することに応答して、後続の通信のために、該ＮＦＣ通信プロトコルを用いて、該通信デバイスに含まれるＮＦＣ回路を起動させることと、
該ＮＦＣステッカーから、該通信デバイスの機能に関する記憶されたデータを受信することと
を含む、方法。
【請求項１３】
前記ＮＦＣステッカー内に記憶された任意のデータを変化させることをさらに含む、請求項１２に記載の方法。
【請求項１４】
前記ステッカーの形状を、前記磁気的に結合するステップの間に認識することをさらに含む、請求項１２に記載の方法。
【請求項１５】
前記磁気的に結合するステップの間に、前記通信デバイスを前記ステッカー上の参照マークへ整列させることをさらに含む、請求項１２に記載の方法。
【発明の詳細な説明】
【技術分野】
【０００１】
（関連出願の相互参照）
本願は、２００９年９月２４日に出願された欧州特許出願第０９１７１２６４．６号（名称「ＳＹＳＴＥＭ  ＡＮＤ  ＡＳＳＯＣＩＡＴＥＤ  ＮＦＣ  ＴＡＧ  ＵＳＩＮＧ  ＰＬＵＲＡＬＩＴＹ  ＯＦ  ＮＦＣ  ＴＡＧＳ  ＡＳＳＯＣＩＡＴＥＤ  ＷＩＴＨ  ＬＯＣＡＴＩＯＮ  ＯＲ  ＤＥＶＩＣＥＳ  ＴＯ  ＣＯＭＭＵＮＩＣＡＴＥ  ＷＩＴＨ  ＣＯＭＭＵＮＩＣＡＴＩＯＮＳ  ＤＥＶＩＣＥ」）の利益および優先権を主張する。
【０００２】
上記特許出願の内容は、本明細書によって参照することにより本明細書の詳細な説明内に明確に援用される。
【０００３】
本出願は、通信の分野に関し、より具体的には、移動無線通信デバイスおよび近距離通信（ＮＦＣ）を使用する関連方法に関する。
【背景技術】
【０００４】
移動通信システムの人気が高まり続け、個人およびビジネス通信の両方の不可欠な一部となっている。種々のモバイルデバイスは、現在、カレンダー、アドレス帳、タスクリスク、計算機、メモ帳およびプログラム作成、メディアプレーヤ、ゲーム等の携帯情報端末（ＰＤＡ）特徴を組み込んでいる。これらの複数機能デバイスにより、通常、ユーザは、電子メール（Ｅメール）メッセージをワイヤレスで送受信することができ、例えば、セルラーネットワークおよび／またはワイヤレスローカルエリアネットワーク（ＷＬＡＮ）を介してインターネットにアクセスすることができる。
【０００５】
いくつかのモバイルデバイスは、非接触型カード技術および／または近距離通信チップを組み込む。近距離通信技術は、移動無線通信デバイスを含む、電子デバイスの間の通信を可能にするために、磁界誘導を使用して、無線周波数識別（ＲＦＩＤ）規格に基づく非接触型短距離通信に一般的に使用されている。これらの短距離通信は、支払いおよびチケット発行、電子鍵、識別、デバイスセットアップサービスおよび同様の情報共有を含む。この短距離高周波数無線通信技術は、わずか数センチメートル等の短距離にわたってデバイス間でデータを交換する。
【０００６】
近距離通信（ＮＦＣ）技術がより一般的になるにつれて、無線Ｂｌｕｅｔｏｏｔｈ（登録商標）接続等の他の短距離無線通信と関連して、携帯用無線通信デバイスとともにしばしば使用される。例えば、ＮＦＣ接続はしばしば、Ｂｌｕｅｔｏｏｔｈ（登録商標）接続を確立するためのデータが伝達される、無線Ｂｌｕｅｔｏｏｔｈ（登録商標）接続を確立するために使用される。
【発明の概要】
【課題を解決するための手段】
【０００７】
（概要）
近距離通信（ＮＦＣ）タグは、筐体と、筐体によって保持され、磁気センサによって磁気的に感知されるように構成されている磁石とを含む。磁気センサは、通信デバイスによって保持される。通信デバイスは、ＮＦＣ通信プロトコルを用いて通信するために、通信デバイス内のＮＦＣ回路を起動させる。データ記憶部は、磁石によって磁気的に結合される通信デバイスの機能に関するデータを記憶する。データ記憶部は、ＮＦＣ回路が起動された後に、通信デバイスによって、ＮＦＣ通信プロトコルを用いて読み取られるように構成されている。
【０００８】
本発明の他の目的、特徴および利点が、添付の図面に照らして考慮されると、以下の発明を実施するための形態から明白となるであろう。
【図面の簡単な説明】
【０００９】
【図１】図１〜７は、デバイス間通信における非限定的実施例による、第１および第２の移動無線通信デバイスの実施例を示し、非限定的側面による、例えば、近距離通信回路を起動し、Ｂｌｕｅｔｏｏｔｈ（登録商標）無線接続等の高次通信プロトコルを確立するために、ホール効果センサを使用して磁石を感知することによる、通信の確立を示す。
【図２】図１〜７は、デバイス間通信における非限定的実施例による、第１および第２の移動無線通信デバイスの実施例を示し、非限定的側面による、例えば、近距離通信回路を起動し、Ｂｌｕｅｔｏｏｔｈ（登録商標）無線接続等の高次通信プロトコルを確立するために、ホール効果センサを使用して磁石を感知することによる、通信の確立を示す。
【図３】図１〜７は、デバイス間通信における非限定的実施例による、第１および第２の移動無線通信デバイスの実施例を示し、非限定的側面による、例えば、近距離通信回路を起動し、Ｂｌｕｅｔｏｏｔｈ（登録商標）無線接続等の高次通信プロトコルを確立するために、ホール効果センサを使用して磁石を感知することによる、通信の確立を示す。
【図４】図１〜７は、デバイス間通信における非限定的実施例による、第１および第２の移動無線通信デバイスの実施例を示し、非限定的側面による、例えば、近距離通信回路を起動し、Ｂｌｕｅｔｏｏｔｈ（登録商標）無線接続等の高次通信プロトコルを確立するために、ホール効果センサを使用して磁石を感知することによる、通信の確立を示す。
【図５】図１〜７は、デバイス間通信における非限定的実施例による、第１および第２の移動無線通信デバイスの実施例を示し、非限定的側面による、例えば、近距離通信回路を起動し、Ｂｌｕｅｔｏｏｔｈ（登録商標）無線接続等の高次通信プロトコルを確立するために、ホール効果センサを使用して磁石を感知することによる、通信の確立を示す。
【図６】図１〜７は、デバイス間通信における非限定的実施例による、第１および第２の移動無線通信デバイスの実施例を示し、非限定的側面による、例えば、近距離通信回路を起動し、Ｂｌｕｅｔｏｏｔｈ（登録商標）無線接続等の高次通信プロトコルを確立するために、ホール効果センサを使用して磁石を感知することによる、通信の確立を示す。
【図７】図１〜７は、デバイス間通信における非限定的実施例による、第１および第２の移動無線通信デバイスの実施例を示し、非限定的側面による、例えば、近距離通信回路を起動し、Ｂｌｕｅｔｏｏｔｈ（登録商標）無線接続等の高次通信プロトコルを確立するために、ホール効果センサを使用して磁石を感知することによる、通信の確立を示す。
【図８】図８は、図９〜１９に示されるように非限定的側面による、デバイス間通信またはデバイスタグ通信のための機能性を組み込むことができる、携帯用無線通信デバイスの基本構成要素を示す、高レベルブロック図である。
【図９】図９〜１９は、デバイスタグ通信の実施例であり、データ転送のために近距離通信回路を起動するように、その磁石を使用する、名刺ホルダとしての携帯用無線通信デバイスおよびＮＦＣタグの実施例を示している。
【図１０】図９〜１９は、デバイスタグ通信の実施例であり、データ転送のために近距離通信回路を起動するように、その磁石を使用する、名刺ホルダとしての携帯用無線通信デバイスおよびＮＦＣタグの実施例を示している。
【図１１】図９〜１９は、デバイスタグ通信の実施例であり、データ転送のために近距離通信回路を起動するように、その磁石を使用する、名刺ホルダとしての携帯用無線通信デバイスおよびＮＦＣタグの実施例を示している。
【図１２】図９〜１９は、デバイスタグ通信の実施例であり、データ転送のために近距離通信回路を起動するように、その磁石を使用する、名刺ホルダとしての携帯用無線通信デバイスおよびＮＦＣタグの実施例を示している。
【図１３】図９〜１９は、デバイスタグ通信の実施例であり、データ転送のために近距離通信回路を起動するように、その磁石を使用する、名刺ホルダとしての携帯用無線通信デバイスおよびＮＦＣタグの実施例を示している。
【図１４】図９〜１９は、デバイスタグ通信の実施例であり、データ転送のために近距離通信回路を起動するように、その磁石を使用する、名刺ホルダとしての携帯用無線通信デバイスおよびＮＦＣタグの実施例を示している。
【図１５】図９〜１９は、デバイスタグ通信の実施例であり、データ転送のために近距離通信回路を起動するように、その磁石を使用する、名刺ホルダとしての携帯用無線通信デバイスおよびＮＦＣタグの実施例を示している。
【図１６】図９〜１９は、デバイスタグ通信の実施例であり、データ転送のために近距離通信回路を起動するように、その磁石を使用する、名刺ホルダとしての携帯用無線通信デバイスおよびＮＦＣタグの実施例を示している。
【図１７】図９〜１９は、デバイスタグ通信の実施例であり、データ転送のために近距離通信回路を起動するように、その磁石を使用する、名刺ホルダとしての携帯用無線通信デバイスおよびＮＦＣタグの実施例を示している。
【図１８】図９〜１９は、デバイスタグ通信の実施例であり、データ転送のために近距離通信回路を起動するように、その磁石を使用する、名刺ホルダとしての携帯用無線通信デバイスおよびＮＦＣタグの実施例を示している。
【図１９】図９〜１９は、デバイスタグ通信の実施例であり、データ転送のために近距離通信回路を起動するように、その磁石を使用する、名刺ホルダとしての携帯用無線通信デバイスおよびＮＦＣタグの実施例を示している。
【図２０】図２０は、オフィスの全体を通して位置する多数の受動タグを示す、オフィス環境の部分図である。
【図２１】図２１は、それに接続された受動タグを示す、プリンタの正面図である。
【図２２】図２２は、キスジェスチャーで電磁石を使用する、２つの通信デバイスを示す。
【図２３】図２３は、上端部キャップが除去されており、最上部に位置付けられた磁石、磁気センサ、およびアンテナを示す、最上部から見た通信デバイスの斜視図である。
【図２４】図２４は、接続を実装するためにプロジェクタ上に位置するタグを使用した、通信デバイスとプロジェクタとの間の接続を示す、部分斜視図である。
【図２５】図２５は、通信デバイスとの接続を通してユーザをスケジュールにリンクするように地下鉄端末に取り付けられたタグを示す、部分斜視図である。
【図２６】図２６は、タグを使用して接続を実装することによってコンピュータに接続された通信デバイスの部分斜視図である。
【図２７】図２７は、タグを使用して確立された接続を用いたメディア代替案として、メディアにアクセスするように接続された通信デバイスを示す、部分斜視図である。
【図２８】図２８は、キスジェスチャー、磁気検出、ＮＦＣ、およびＢｌｕｅｔｏｏｔｈ（登録商標）の時間を示す、タイミング図である。
【図２９】図２９は、ＮＦＣ通信を開始するために加速度計を使用する、通信デバイスの実施例である。
【発明を実施するための形態】
【００１０】
ここで、種々の実施形態が示される添付の図面を参照して、異なる実施形態を以下でより完全に説明する。多くの異なる形態を記載することができ、説明された実施形態は、本明細書に記載される実施形態に限定されるものとして解釈されるべきではない。むしろ、これらの実施形態は、本開示が徹底的かつ完全となり、当業者に範囲を完全に伝えるように、提供される。同様の番号は、その全体において、同様の要素を指す。
【００１１】
ＮＦＣおよび／またはＢｌｕｅｔｏｏｔｈ（登録商標）回路を組み込む、いくつかのデバイスおよびシステムの欠点は、ＮＦＣおよび／またはＢｌｕｅｔｏｏｔｈ（登録商標）回路が常時オンであるという要件である。これは、電力排出回路を作成する。さらに、場合によっては、これは、不要な接続をもたらし得る。
【００１２】
通信デバイスは、１つの非限定的実施例では、通信デバイス間の無線通信およびデバイス間通信を確立する。それぞれの磁石および磁気センサが整列され、それぞれは、第１の通信デバイス上の磁石が第２の通信デバイス上の磁気センサと整列され、第２の通信デバイス上の磁石が第１の通信デバイス上の磁気センサと整列されるように、第１および第２の通信デバイス上に位置する。第１および第２の通信デバイスのそれぞれおよび少なくとも１つに含まれる、近距離通信（ＮＦＣ）回路は、それぞれの他方の通信デバイス上の磁石を感知することに応じて起動される。データは、ＮＦＣ通信プロトコルを使用して、第１および第２の通信デバイスの間で交換される。
【００１３】
別の側面によれば、２つの通信デバイスは、それぞれの通信デバイス内のＮＦＣ回路を起動するために物理的に接触している。別の側面では、２つの通信デバイスは、それぞれの通信デバイス内のＮＦＣ回路を起動するために数ミリメートル以内にある。別の側面では、無線通信接続は、第１および第２の通信デバイス間で交換されるデータに基づいて、第１および第２の通信デバイス間のＮＦＣとは異なって確立される。
【００１４】
個人識別番号（ＰＩＮ）およびセキュリティキーが、別の非限定的側面で無線通信接続を確立するためにＮＦＣを使用して、第１および第２の通信デバイス間で交換される。無線通信接続は、Ｂｌｕｅｔｏｏｔｈ（登録商標）通信プロトコルまたはＷｉＦｉ通信プロトコルを使用して確立することができる。
【００１５】
別の側面では、磁気センサは、それぞれの通信デバイス内に位置するホール効果センサを使用する。プロセッサは、ＮＦＣ回路が起動されるべきであると判定するように、ホール効果によって生成される電圧変動を感知することができる。
【００１６】
通信デバイスは、筺体と、筺体によって保持される回路基板とを含む。無線周波数（ＲＦ）回路およびプロセッサは、筺体によって保持され、かつ相互に動作可能である。近距離通信（ＮＦＣ）回路は、回路基板上に位置付けられ、ＮＦＣ通信プロトコルを使用して通信するためにプロセッサに接続される。ホール効果センサ等の磁気センサは、筐体によって支持され、磁界を感知し、プロセッサへの信号を生成するためにプロセッサに接続され、それに応じて、プロセッサは、ＮＦＣ通信プロトコルを使用してデータを伝送または受信するためにＮＦＣを起動する。
【００１７】
他の方法の側面が記載される。
【００１８】
図１は、単純インターフェースを提供し、無線接続を開始するように、非常に接近するか、または実際に物理的に接触するよう相互に向かった物理的移動としての「ジェスチャー」で引き合わせられる、２つの同様の携帯用無線通信デバイス２０、２２の実施例を示す。他のデバイスと接触するようにデバイスを移動させる、この物理的ジェスチャーは、Ｂｌｕｅｔｏｏｔｈ（登録商標）またはＷｉＦｉ無線接続をトリガすることができる、近距離通信（ＮＦＣ）をトリガする、ホール効果をトリガすること等の、無線接続を確立する、より単純で低電力のシステムおよび方法を提供する。１つの非限定的実施例では、各デバイス２０、２２には、磁石２４およびホール効果センサ等の環境センサ２６が提供される。それぞれは、２つのデバイス２０、２２が、典型的には、相互に触れるか、または「キスする」、あるいは非常に近く、隣接して接近しているため、「キス」ジェスチャーとも称される、単一接触またはジェスチャーで合致される。実施例は、磁石の強度に応じて、約１０または２０ｍｍ未満の範囲内、および一実施例では、タグまたはデバイスから約７ｍｍ以下にある時となり得る。各デバイス上のセンサ２６は、図１に図示されるように、それぞれの他方のデバイス上の磁石に整列される。一方のデバイスは、ホール効果を介して他方の磁石を感知（「見る」）し、センサからの信号または電圧変動は、近距離通信（ＮＦＣ）回路を起動し、ＮＦＣ通信回路を使用して他方のデバイスと通信する、プロセッサに伝送される。次いで、デバイスは、ＮＦＣを使用して、相互からのデータを読み取ることができる。Ｂｌｕｅｔｏｏｔｈ（登録商標）接続等の無線接続用の通信プロトコルデータは、ＮＦＣ接続を使用して受信されたデータに基づいて取得することができる。例えば、ＰＩＮ番号およびセキュリティキーは、Ｂｌｕｅｔｏｏｔｈ（登録商標）接続を確立するように、ＮＦＣを使用して交換することができる。
【００１９】
以下で詳細に説明されるように、デバイスを受動磁気タグ（この実施例ではＮＦＣタグ）に触れさせ、したがって、周辺機器とのＮＦＣ接続を開始することによって、１つの通信デバイス２０が受動周辺機器との通信を確立することが可能である。受動磁気タグは、ＮＦＣタグまたは名刺ホルダ、あるいは限定された伝送能力を伴う他のデータ記憶デバイスを含む、異なるデバイスを指すことができる。タグが空白である場合（例えば、名刺ホルダ）、場合によっては、タグをプログラムすることができる。タグがすでにプログラムされている場合、通信デバイスは、タグから情報を読み取ることができ、それがさらなる動作につながってもよい。例えば、タグがプリンタと関連付けられる場合、通信デバイスは、以下でさらに論議されるように、プリンタ上でプリンタジョブを実行することができる。そのようなシステムの利点は、ホール効果が完全に受動的であることであり、移動無線通信デバイスがＮＦＣまたはＢｌｕｅｔｏｏｔｈ（登録商標）回路を常時「オン」にし、したがって、電力を引き出すための要件を回避する。通信デバイス２０が、別の通信デバイス２２上等にあるの別の磁石または受動タグの存在を判定する（「見る」）時のみ、デバイス２０は、無線ＮＦＣまたはＢｌｕｅｔｏｏｔｈ（登録商標）接続の開始をトリガする。付加的な便益性は、ホール効果がＮＦＣ回路よりも近い接触を必要とすることがであり、２つの通信デバイスを一緒に触れさせること等の慎重な「ジェスチャー」が必要とされることを意味する。これは、他のＢｌｕｅｔｏｏｔｈ（登録商標）対応デバイスが領域中にある時に偶発的または侵襲的接続を回避する。以上で使用されるようなタグという用語は、通信デバイス２０、２２と同様に能動モードで動作する代わりに、典型的には受動的に動作する、種々のデバイスを含むことができる。
【００２０】
図示されるように、図１〜７に示されるようなデバイス間通信のためのこの実施例での各通信デバイス２０、２２は、筐体３０と、キーボード３２と、一実施例ではタッチディスプレイとして動作することができるディスプレイ３４を含む。上述のように、各デバイスは、磁気センサ２６、例えば、この非限定的実施例ではホール効果センサと、磁石２４とを含む。センサ２６および磁石２４は、データを交換するために各デバイス内のＮＦＣ回路を起動するように連携する。
【００２１】
近距離通信（ＮＦＣ）技術は、非接触型カードとしてのＩＳＯ１４４４３近接型カード規格、スマートカードおよびリーダのインターフェースを１つのデバイスに組み込むＲＦＩＤ規格の拡張である。携帯電話または移動無線通信デバイス等のＮＦＣデバイスは、典型的には、既存のＩＳＯ１４４４３スマートカードおよびリーダ等のデバイスと通信するＮＦＣ集積回路（ＩＣ）チップ、および既存の非接触型インフラストラクチャと互換性のある他のＮＦＣデバイスを含む。ＮＦＣ  ＩＣチップは、２つのループアンテナが相互の付近に位置する磁界誘導を使用し、空芯変圧器を形成する。該技術は、約１３．５６ＭＨｚの無認可の無線周波数ＩＳＭバンドで動作し、約２ＭＨｚの帯域幅を有する。作動距離は通常、約０〜２０センチメートルである。ＮＦＣデバイスのユーザは、１つのＮＦＣ対応デバイスを別のＮＦＣ対応デバイスまたはタグに近づけて、１０６〜約４２４ｋｂｉｔ／ｓに及ぶデータ転送速度でＮＦＣ通信を開始する。
【００２２】
異なる動作モードがある。ほとんどの移動無線通信デバイスは、ＭａｎｃｈｅｓｔｅｒおよびＡＳＫ符号が使用される受動モードが使用されない限り、修正Ｍｉｌｌｅｒおよび１００％振幅偏移変調（ＡＳＫ）符号を使用して、能動通信モードで動作する。さらなる詳細が、ＧＳＭＡによる２００７年１１月のＭｏｂｉｌｅ  ＮＦＣ  Ｔｅｃｈｎｉｃａｌ  Ｇｕｉｄｅｌｉｎｅｓ，Ｖｅｒｓｉｏｎ２．０に記載されており、その開示は、その全体で参照することにより本明細書に組み込まれる。
【００２３】
「近距離通信インターフェースおよびプロトコル」または「ＮＦＣＩＰ−１」または「ＮＦＣプロトコル」はまた、開始デバイスおよび標的デバイスが近づけられた時に、開始デバイスと標的デバイスとの間の通信を可能にする。上記の実施例では、通信デバイス２０が開始デバイスとなり得て、プリンタまたは名刺ホルダが標的デバイスとなり、受動デバイスとして動作することができる。磁石は、起動されたデバイス２０内のセンサ２６およびＮＦＣ回路を使用して感知することができる。ＮＦＣＩＰ−１に関する詳細な情報は、ｗｗｗ．ｅｃｍａ−ｉｎｔｅｒｎａｔｉｏｎａｌ．ｏｒｇにおいてＥｃｍａ  Ｉｎｔｅｒｎａｔｉｏｎａｌから入手可能である、ＥＣＭＡ−３４０と呼ばれる公表規格で入手可能である。
【００２４】
ＮＦＣプロトコルは、１３．５６ＭＨｚの大域的に利用可能な未規制無線周波数帯域内で動作し、最大２０センチメートルの作動距離を有する。１０６キロビット毎秒（ｋｂｉｔ／ｓ）、２１２ｋｂｉｔ／ｓ、および４２４ｋｂｉｔ／ｓといった、３つのデータ転送速度が典型的に利用可能である。上述のように、複数の通信モードが現在利用可能である。受動通信モードでは、開始デバイスは、電磁キャリア磁界を提供し、標的デバイスは、キャリア磁界を変調することによって開始デバイスに答える。受動通信モードでは、標的デバイスは、開始デバイスによって提供されるキャリア磁界から動作電力を引き出してもよい。有利に、開始デバイスのみが電力供給を有する必要がある。標的デバイスによって生成される変調磁界は、限定された量のデータを伝達するために使用することができる。
【００２５】
能動通信モードでは、開始デバイスおよび標的デバイスの両方が、通信デバイス２０、２２を使用する実施例等で、独自の電磁場を生成する。開始デバイスは、ＮＦＣＩＰ−１通信を開始する。標的デバイスは、標的デバイスによって生成される電磁場を変調することによって、能動通信モードで開始デバイスから受信されたコマンドに応答することができる。典型的には、能動通信モードでは、両方のデバイスが電力供給を必要とする。
【００２６】
顕著に、能動通信モードでは、両方のデバイスが開始または標的の役割を果たすことができるが、これは受動通信モードでは当てはまらず、電磁キャリア磁界を作成する能力がないデバイスは、開始デバイスとなることができず、代わりに標的デバイスになる。
【００２７】
ＮＦＣＩＰ−１によれば、標的デバイスによる開始電磁キャリア磁界の変調の感知に応答して、開始デバイスは、ＡＴＲ＿ＲＥＱ（属性要求）コマンドを標的デバイスに伝送することによって、初期衝突回避シーケンスを行う。ＡＴＲ＿ＲＥＱ（属性要求）コマンドの受信に応答して、標的デバイスは、ＡＴＲ＿ＲＥＳ（属性応答）と呼ばれる応答を伝送する。
【００２８】
図１、より具体的には、図１〜７に示されるデバイス間シーケンスを再び参照すると、デバイス間通信は、図示されるような携帯用無線通信デバイス２０のユーザが、容易かつ安全に通信デバイス２２とメディアまたはデータコンテンツを共有することを可能にする。そのようなメディアおよびデータは、非限定的実施例として、写真、アドレス帳交換、インスタントメッセージ、音楽または他のオーディオ、ビデオ、食料雑貨店、チケット、映画館データ、またはクーポンに関係するもの等の記憶された情報を含むことができる。このオーディオは、実施例として、着信音にする場合がある、音声または個人録音を含むことができる。
【００２９】
図１に示されるように、各携帯用無線通信デバイス２０、２２は、１つの非限定的実施形態では、磁気２４および磁気センサ２６を支持する最上または上部３６と、デバイスの最上部に組み込まれる関連感知回路とを含む。２つの通信デバイス２０、２２が相互に接近する（典型的には相互に触れる）につれて、それぞれの磁界がホール効果センサとしての磁気センサを通して検出され、各通信デバイス内の関連回路および近距離通信（ＮＦＣ）回路が、後続のより複雑なデータ交換を可能にするように起動される。ＮＦＣ／磁石をデバイスのスキン／バッテリドアに組み込むことが可能である。例えば、より古いデバイスは依然として、Ｂｌｕｅｔｏｏｔｈ（登録商標）名／セキュリティコードを別のデバイスに送るが、ユーザは依然として、情報を手動で入力する必要がある。ＮＦＣ部分とホストプロセッサとの間に何らかの種類の通信がなければ、この機能が限定される場合がある。スキンがＵＳＢを介してホスト（またはＵＳＢオンザゴーが実装される場合はスレーブ）として接続され、ＮＦＣが接続される場合、全機能を獲得することが可能である。しかしながら、この実施例では、独自の別個の電力供給を必要としてもよい。図２は、相互に接近する両方のデバイス、および動作中の整列された磁石およびホール効果センサからのそれぞれの磁界を示す。
【００３０】
図３は、ホール効果センサ２６が動作可能であり、２つのデバイスを一緒に触れさせることによってＮＦＣ回路を起動させるように整列される、「キス」ジェスチャーとも呼ばれるものにおいて相互に触れる、両方のデバイス２０、２２を示す。したがって、図３の示されるように、ＮＦＣ回路が起動され、ＢＴ（Ｂｌｕｅｔｏｏｔｈ（登録商標））対合が進行中であることを通信デバイスのディスプレイの一方または両方の上のポップアップ画面３４ａが提示する、図４に示されるようなＢｌｕｅｔｏｏｔｈ（登録商標）無線接続を開始すること等の、２つのデバイス間で高次通信プロトコルを確立するように、セキュリティコード、ＩＤ、またはＰＩＮ等のデータが、デバイス間で交換される。いったんＢｌｕｅｔｏｏｔｈ（登録商標）接続が確立されると、デバイスは、図５に示されるように分離することができ、Ｂｌｕｅｔｏｏｔｈ（登録商標）接続を開始するためにＮＦＣによって転送される限定されたデータの代わりに、Ｂｌｕｅｔｏｏｔｈ（登録商標）接続を使用して、より多量のさらなるデータ転送を可能にする。図６は、デバイスのうちの一方の上のディスプレイ３４が、デバイスが他方のデバイスにＢｌｕｅｔｏｏｔｈ（登録商標）接続されていることを示すインジケータロゴ３４ｂを有することを示す。図７に示されるように、デバイス２０、２２がＢｌｕｅｔｏｏｔｈ（登録商標）接続を介して接続されると、ユーザ（Ｕ１およびＵ２）は、自由にデバイスコンテンツを共有し、所望に応じてデータまたは他のコンテンツを転送することができ、例えば、アドレス、写真、ビデオ、または他の情報を交換することができる。
【００３１】
動作中、ホール効果センサは、磁界の変化に応じて、その出力電圧を変化させる変換器と同様に動作し、したがって、受動センサの役割を果たす。この種類のセンサは、図３に示されるデバイス２０、２２等の２つのデバイスが引き合わせられた時に、近接性感知に使用することができる。磁界が、電流とともに変化する回路内で生成される。ホール効果センサは、回路を遮断することなく電流を測定する。一実施例では、センサは、デジタルオン／オフモードとして動作する、測定される導体を包囲する巻装コアまたは永久磁石と一体化している。それは、ＮＦＣ回路をオンにするように、デバイス内のデバイスを介してＮＦＣ回路に接続される。例えば、無線デバイス内のプロセッサは、「キス」ジェスチャー、すなわち、デバイスが触れることを示す電圧変動を判定し、したがって、ＮＦＣ回路を起動する信号をその回路に送信する。
【００３２】
他方で、Ｂｌｕｅｔｏｏｔｈ（登録商標）は、固定およびモバイルデバイスから短距離（しかしＮＦＣよりも長い）にわたってデータを交換し、本質的にパーソナルエリアネットワーク（ＰＡＮ）であるものを作成する、開放無線プロトコルである。無線Ｂｌｕｅｔｏｏｔｈ（登録商標）接続は、典型的には、周波数ホッピングスペクトラム拡散信号および最大７９の異なる周波数を使用して通信する。１つの変調では、最大１Ｍｂ／ｓの総データ転送速度を達成することができるのは、ガウス型周波数偏移変調（ＧＦＳＫ）システムである。これは、短距離であり、通信デバイスで使用される送受信機マイクロチップの種類に応じて、最大１メートル、１０メートル、または１００メートルの電力分類依存性である。典型的には、現代の通信デバイスは、非限定的実施例では、最大１００メートルのＢｌｕｅｔｏｏｔｈ（登録商標）通信を可能にする。
【００３３】
例示的な移動無線通信デバイス２０で使用することができる、種々の機能的構成要素の非制限的実施例を、図８を参照して以下の実施例でさらに説明する。新しい参照数字が使用される。デバイス１００は、デバイス２０、２２の例示的実施形態である。デバイス１００は、例証的に、筐体１２０と、キーパッド１４０と、出力デバイス１６０とを含む。示された出力デバイス１６０は、フルグラフィックＬＣＤを備えてもよく、入力デバイスとしてタッチセンサ式であってもよい、ディスプレイを備えてもよい。他の種類の出力デバイスが代替的に使用されてもよい。処理デバイス１８０が筐体１２０内に含有され、キーパッド１４０とディスプレイ１６０との間に結合される。このデバイス１８０は、典型的には、筐体１２０内の回路基板上に含まれるマイクロプロセッサチップである。ディスプレイがタッチ起動型ディスプレイである場合、キーパッド１４０は必要でなくてもよい。処理デバイス１８０は、ユーザによるキーパッド１４０上のキーの作動に応じて、ディスプレイ１６０の動作、ならびにモバイルデバイス１００の全体的な動作を制御する。
【００３４】
筺体１２０は、垂直に細長くてもよく、または、他のサイズおよび形状（２つ折り筺体構造を含む）を成してもよい。キーパッドは、モード選択キーを含んでもよく、またはデバイスは、テキスト入力と電話入力とを切り替えるために、他のハードウェアまたはソフトウェアを含んでもよい。
【００３５】
処理デバイス１８０に加えて、モバイルデバイス１００の他の部品が、図８に概略的に示されている。これらは、通信サブシステム１０１、短距離通信サブシステム１０２、他の入力／出力デバイス１０６、１０８、１１０および１１２とともにキーパッド１４０およびディスプレイ１６０、ならびにメモリデバイス１１６、１１８および種々の他のデバイスサブシステム１２１を含む。  モバイルデバイス１００は、この実施例では、ＲＦ回路を使用する音声およびデータ通信機能を有する、双方向ＲＦ通信デバイスである。加えて、モバイルデバイス１００は、インターネットを介して他のコンピュータシステムと通信する能力を有する。短距離通信サブシステム１０２は、Ｂｌｕｅｔｏｏｔｈ（登録商標）無線接続を確立するためのＢｌｕｅｔｏｏｔｈ（登録商標）（ＢＴ）通信モジュールと、赤外線モジュールまたはデバイス、ＷｉＦｉ回路およびモジュール、ならびにＲＦ回路の一部としての関連構成要素および回路等の、他の通信モジュールとを含む。
【００３６】
処理デバイス１８０によって実行されるオペレーティングシステムソフトウェアは、フラッシュメモリ１１６等の持続記憶部に記憶されてもよく、または、読み出し専用メモリ（ＲＯＭ）あるいは同様の記憶要素等の他の種類のメモリデバイスに記憶されてもよい。加えて、システムソフトウェア、特定のデバイスアプリケーション、またはその部品は、ランダムアクセスメモリ（ＲＡＭ）１１８等の揮発性記憶部に一時的にロードされてもよい。モバイルデバイスによって受信される通信信号も、ＲＡＭ１１８に記憶されてもよい。
【００３７】
そのオペレーティングシステム機能に加えて、処理デバイス１８０は、デバイス１００上のソフトウェアアプリケーション１３０ａ〜１３０ｎの実行を可能にする。  データおよび音声通信１３０ａおよび１３０ｂ等の基本的なデバイス動作を制御する、所定の一式のアプリケーションが、製造中にデバイス１００上にインストールされてもよい。  近距離通信モジュール１３０Ｃも、図示されるようにインストールされる。
【００３８】
ソフトウェアモジュールとしてのＮＦＣ通信モジュール１３０ｃは、フラッシュメモリ１１６を通してマイクロプロセッサ１８０と協働する。マイクロプロセッサ１８０はまた、ＮＦＣチップ１３２ａと、図１〜７に示される種類等の別のデバイス／タグ１３３と通信するアンテナ１３２ｂとを含む、ＮＦＣサブシステム１３２とともに動作する。ＮＦＣ通信モジュール１３０ｃは、マイクロプロセッサが、ＮＦＣチップ１３２ａと、典型的には１３．５６ＭＨｚに同調されるアンテナ１３２ｂとを含む、ＮＦＣサブシステム１３２を制御することを可能にする。ＮＦＣチップ１３２ａは、例えば、Ｋｏｎｉｎｋｌｉｊｋｅ  Ｐｈｉｌｌｉｐｓ  Ｅｌｅｃｔｒｏｎｉｃｓ  Ｎ．Ｖ．のＰｈｉｌｌｉｐｓ  Ｓｅｍｉｃｏｎｄｕｃｔｏｒ  ＢｒａｎｃｈからのＰＮ５３１マイクロコントローラベースの伝送モジュールとなり得る。ＮＦＣチップがＰＮ５３１モジュールである時、ＮＦＣチップ１３２ａは、アナログ回路と、コンタクトリスト汎用非同期送受信機（ＵＡＲＴ）と、コアと、一式のホストインターフェースとを含むことができる。アナログ回路は、出力ドライバと、統合復調器と、ビットデコーダと、モード検出器と、ＲＦレベル検出器とを含むことができる。コンタクトリストＵＡＲＴは、データ処理、巡回冗長検査（ＣＦＣ）、パリティ生成、フレーミング生成、ならびにチェックビット符号化および復号のための要素を含むことができる。コアは、典型的には、８０Ｃ５１マイクロコントローラと、３２ＫｂｙｔｅのＲＯＭと、１ＫｂｙｔｅのＲＡＭとを含む。一式のホストインターフェースは、Ｉ２Ｃ、シリアルＵＡＲＴ、ＳＰＩ、およびＵＳＢ等の既知の規格に従って、マイクロプロセッサおよびインターフェースと連動することができる。
【００３９】
ホール効果センサとして形成することができ、マイクロプロセッサ１８０に接続される、磁気センサ１３４も図示されている。これは、あらゆる必要なコイルまたは他の回路を含む、ホール効果センサとして動作する種々の構成要素を含む。一実施例では、電磁石として形成され、変更データに対応するように変更される電磁エネルギーを使用して、異なる通信経路を可能にするように、マイクロプロセッサとともに動作する、磁石１３５も図示されている。電磁石１３５は、図１〜７の移動無線通信デバイスで示されるような磁石２４と同様に動作するが、一実施例では、別の通信プロトコル経路を形成するように動作する。この電磁石１３５は、図示されるようなデバイス１００の他の構成要素と関連して能動または受動でバイスとして稼働することを含む、異なる機能を含む。例えば、電磁石１３５が、図１のデバイス内の設置された磁石（非電磁）の代わりに使用される時、エネルギーのパルスが、他方のデバイス内のホール効果センサに送達される。他方のデバイスは、パルスを受信し、ＮＦＣ回路の起動を体験することなく、Ｂｌｕｅｔｏｏｔｈ（登録商標）接続を確立する。Ｂｌｕｅｔｏｏｔｈ（登録商標）接続が確立されない場合、代替案では、例えば、ＷｉＦｉ接続が確立される。他のソフトウェアモジュール１３０ｎは、磁気センサ１３４および任意の磁石または電磁石１３５、あるいは全体的な電磁石１３５内に含まれる他の磁気回路と相互動作する、ソフトウェアを含む。
【００４０】
加速度計１３７およびアナログ／デジタル変換器１３８が、図示されるようにマイクロプロセッサ１８０に接続され、ＮＦＣ自動タグ検出（および自動ピアツーピア検出）の別の実装を可能にする。加速度計１３７は、タグまたは別のデバイスに対する通信デバイスのタッピングを認識し、すなわち、振動を認識する。ＮＦＣ回路を起動するためにホール効果センサおよび磁石を使用する代わりに、回路は、この実施例では、例えば、振動センサおよび加速度計として、タップ認識を使用する。デバイスが、別のオブジェクト、例えば、ＮＦＣタグに対してタップされると、ある加速度計パラメータを満たしている、または超えている事項として、プロファイルが生成されることを理解されたい。プロファイルが既知のタッププロファイルと比較された場合、ＮＦＣ回路を起動し、通信を開始する。他の実施形態では、加速度計は、運動センサシステムの一部となり得て、歩調センサまたは歩調検出システム等の加速度計以外の他の運動センサシステムを使用することができる。
【００４１】
当業者によって理解されるように、加速度計は、感知要素によって検出される運動（例えば、衝打力による通信デバイスまたはその一部分の移動）および重力からの加速度を、電気信号（出力の対応する変化を生成する）に変換し、１、２、または３軸構成で利用可能である、センサである。加速度計は、加速度計の種類の応じて、デジタルまたはアナログ出力信号を生成してもよい。概して、アナログまたはデジタル加速度計が使用されるかどうかに応じて、（１）バッファリングおよびアナログ・デジタル（Ａ／Ｄ）変換を必要とするアナログ出力、および（２）典型的にはＳＰＩ（シリアルペリフェラルインターフェース）またはＩ２Ｃ（集積回路間）インターフェース等の業界標準インターフェースで利用可能なデジタル出力といった、２種類の出力が利用可能である。図８に示される実施形態は、Ａ／Ｄ変換器１３８へのアナログ出力を図示する。加速度計の出力は、典型的には、標準平均として約９．８１ｍ／ｓ2（３２．２ｆｔ／ｓ2）である、ｇで表される地球表面での重力加速度定数に関して測定される。加速度計は、容量、圧電、ピエゾ抵抗、またはガスベースの加速度計を含むが、それらに限定されない、ほぼあらゆる種類であってもよい。加速度計の範囲は、最大で数千ものｇに変化するが、携帯用電子デバイスには、「低ｇ」加速度計が使用されてもよい。使用されてもよい低ｇ加速度計は、Ａｎａｌｏｇ  Ｄｅｖｉｃｅｓ，Ｉｎｃ．（ＡＤＩ）、Ｆｒｅｅｓｃａｌｅ  Ｓｅｍｉｃｏｎｄｕｃｔｏｒ，Ｉｎｃ．（Ｆｒｅｅｓｃａｌｅ）、およびＳＴＭｉｃｒｏｅｌｅｃｔｒｏｎｉｃｓ  Ｎ．Ｖ．（Ｇｅｎｅｖａ，Ｓｗｉｔｚｅｒｌａｎｄ）からのＭＥＭＳデジタル加速度計である。
【００４２】
加速度計の動作設定は、一実施例では、シリアルインターフェースを介して加速度計に送信される、制御信号を使用して制御される。１つの図示された実施例では、マイクロプロセッサは、加速度計によって測定される加速度に従って運動検出を判定する。加速度計によって測定される未加工の加速度データは、別の実施例では、運動検出がオペレーティングシステムまたは他のソフトウェアモジュールによって判定される、シリアルインターフェースを介してマイクロプロセッサに送信される。他の実施形態では、異なるデジタル加速度計構成を使用することができ、または好適なアナログ加速度計および制御回路を使用することができる。
【００４３】
加えて、個人情報マネージャ（ＰＩＭ）アプリケーションが、製造中にインストールされてもよい。ＰＩＭは、電子メール、カレンダーイベント、音声メール、約束、およびタスク項目等のデータ項目の整理および管理が可能である。ＰＩＭアプリケーションはまた、無線ネットワーク１４１を介してデータ項目を送受信することも可能である。ＰＩＭデータ項目は、ホストコンピュータシステムに記憶された、または関連付けられたデバイスユーザの対応データ項目とともに、ワイヤレスネットワーク１４１を介して、シームレスに統合、同期化、および更新される。
【００４４】
データおよび音声通信を含む通信機能は、典型的には輪郭によって示される、回路基板上に含まれるＲＦ回路の一部である、通信サブシステム１０１を通して、およびおそらく短距離通信サブシステムを通して行われる。
実行される。通信サブシステム１０１は、受信機１５０と、伝送機１５２と、１つ以上のアンテナ１５４および１５６とを含む。加えて、通信サブシステム１０１はまた、デジタル信号プロセッサ（ＤＳＰ）１５８等の処理モジュールと、この実施例ではＲＦ回路の一部として、局部発振器（ＬＯ）１６１とを含む。通信サブシステム１０１の具体的設計および実装は、モバイルデバイス１００が動作するように意図される通信ネットワークに依存する。例えば、モバイルデバイス１００は、ＭｏｂｉｔｅｘＴＭ、Ｄａｔａ  ＴＡＣＴＭ、または汎用パケット無線サービス（ＧＰＲＳ）モバイルデータ通信ネットワークとともに動作するように設計され、また、ＡＭＰＳ、ＴＤＭＡ、ＣＤＭＡ、ＰＣＳ、ＧＳＭ（登録商標）等の種々の音声通信ネットワークのうちのいずれかとともに動作するように設計されている、通信サブシステム１０１を含んでもよい。別個および統合の両方である、他の種類のデータおよび音声ネットワークも、モバイルデバイス１００とともに使用されてもよい。
【００４５】
ネットワークアクセス要件は、通信システムの種類に応じて変化する。例えば、ＭｏｂｉｔｅｘおよびＤａｔａＴＡＣネットワークでは、モバイルデバイスは、各デバイスに関連付けられた一意の個人識別番号またはＰＩＮを使用して、ネットワークに登録される。しかしながら、ＧＰＲＳネットワークでは、ネットワークアクセスは、加入者またはデバイスのユーザに関連付けられる。したがって、ＧＰＲＳデバイスは、ＧＰＲＳネットワーク上で動作するために、一般的にＳＩＭカードと呼ばれる、加入者識別モジュールを利用する。
【００４６】
必要なネットワーク登録または起動手順が完了すると、モバイルデバイス１００は、通信ネットワーク１４１上で通信信号を送受信する。  アンテナ１５４によって通信ネットワーク１４１から受信される信号は、信号増幅、周波数下方変換、フィルタリング、チャネル選択等を提供し、また、アナログ・デジタル変換を提供してもよい、受信機１５０に経路指定される。受信した信号のアナログ・デジタル変換は、ＤＳＰ１５８が、復調および復号等のより複雑な通信機能を果たすことを可能にする。同様に、ネットワーク１４１に伝送される信号は、ＤＳＰ１５８によって処理（例えば、変調および符号化）され、次いで、デジタル・アナログ変換、周波数上方変換、フィルタリング、増幅、およびアンテナ１５６を介した通信ネットワーク１４１（または複数のネットワーク）への伝送のために、伝送機１５２に提供される。
【００４７】
通信信号を処理することに加えて、ＤＳＰ１５８は、受信機１５０および伝送機１５２の制御を提供する。例えば、受信機１５０および伝送機１５２において通信信号に適用される利得は、ＤＳＰ１５８において実装される自動利得制御アルゴリズムを通して、適応的に制御されてもよい。
【００４８】
データ通信モードでは、テキストメッセージまたはダウンロードされたウェブページ等の受信した信号は、通信サブシステム１０１によって処理され、処理デバイス１８０に入力される。次いで、受信した信号は、ディスプレイ１６０へ、または代替として何らかの他の補助Ｉ／Ｏデバイス１０６への出力のために、処理デバイス１８０によってさらに処理される。デバイスユーザはまた、キーパッド１４０、および／またはタッチパッド、トラックボール、トラックパッド、ロッカースイッチ、サムホイール、あるいは何らかの他の種類の入力デバイス等の何らかの他の補助Ｉ／Ｏデバイス１０６を使用して、Ｅメールメッセージ等のデータ項目を作成してもよい。次いで、構成されたデータ項目は、通信サブシステム１０１を介して、通信ネットワーク１４１上で伝送されてもよい。
【００４９】
音声通信モードでは、受信した信号がスピーカ１１０に出力され、伝送のための信号がマイクロホン１１２によって生成されることを除いて、デバイスの全体的動作は、データ通信モードと実質的に同様である。音声メッセージ録音サブシステム等の代替音声またはオーディオＩ／Ｏサブシステムも、デバイス１００上に実装されてもよい。加えて、ディスプレイ１６０も、例えば、発呼者の身元、音声通話の持続時間、または他の音声通話関連情報、およびＮＦＣ通信またはＢｌｕｅｔｏｏｔｈ（登録商標）接続があるかどうかを表示するために、音声通信モードで使用されてもよい。
【００５０】
任意の短距離通信サブシステムが、モバイルデバイス１００と、必ずしも同様のデバイスである必要のない他の近接システムまたはデバイスとの間の通信を可能にする。例えば、短距離通信サブシステムは、赤外線デバイスならびに上記で説明されるような関連回路および構成要素、または、同様に使用可能なシステムおよびデバイスとの通信ならびにＮＦＣ通信を提供するＢｌｕｅｔｏｏｔｈ（登録商標）通信モジュールを含んでもよい。
【００５１】
種々の実施形態によれば、ＧＳＭ（登録商標）は、例示的な通信システムであり、典型的には、１２４のキャリア周波数チャネルに細分割され、それぞれ非限定的実施例として約２００ＫＨｚ離間している、約２５ＭＨｚの帯域幅を有する、アップリンク周波数帯およびダウンリンク周波数帯を有することができる無線インターフェースを使用する。時分割多重化方式が通常、無線周波数チャネルにつき約８つの音声チャネルを可能にするために使用され、８つの無線の時間スロットおよびＴＤＭＡフレームと呼ばれるものにグループ化される８つのバースト期間を生じさせる。例えば、チャンネルデータ転送速度は、１つの非制限的実施例では、約２７０．８３３Ｋｂｐｓ、および約４．６１５ミリ秒（ＭＳ）のフレーム持続時間である。電力出力は通常、約１ワットから約２ワットまで様々である。
【００５２】
典型的には、線形予測符号化（ＬＰＣ）が、ビットレートを低減し、約１３Ｋｂｐｓにおいて符号化された音声を伴う音声トラックを模倣するためのフィルタのパラメータを提供するために、使用される。マクロ、マイクロ、ピコおよびアンブレラセルを含む、４つの異なるセルサイズは、ＧＳＭ（登録商標）ネットワークにおいて使用可能である。基地局アンテナが、典型的には、マクロセルにおける平均屋上階を上回るマスタ建造物上に設置される。マイクロセルにおいて、アンテナの高さは、典型的には、平均屋上階以下であり、都市部で使用される。マイクロセルは、典型的には、約数１０メートルの直径を有し、室内で使用される。アンブレラセルが、通常、影付きの領域またはより小さいセルをカバーする。典型的には、アンテナによってカバーされるＧＳＭ（登録商標）仕様の最長距離は、アンテナ高さ、利得および伝搬条件に応じて、約２２マイルである。
【００５３】
ＧＳＭ（登録商標）システムは、典型的には、基地局サブシステム、ネットワークおよび切替サブシステム、および汎用パケット無線サービス（ＧＰＲＳ）コアネットワークを含む。加入者識別モジュール（ＳＩＭ）は通常、通信デバイス、例えば、ユーザの加入情報および電話帳を含むスマートカードと同様である、周知のＳＩＭカードにおいて実装される。ユーザは、典型的には、ハンドセットを切り替える、またはＳＩＭを変更することによってオペレータを変更することができる。ＵＳＩＭ、ＲＵＩＭ、またはＣＳＩＭ、および他の同様の技術を、ＵＭＴＳまたはＣＤＭＡネットワークで使用することができる。
【００５４】
ＧＳＭ（登録商標）信号プロトコルは、３つの汎用レイヤを有する。レイヤ１は、エアインターフェースの上のチャンネル構造を使用する、物理的レイヤである。レイヤ２は、データリンクレイヤである。レイヤ３は、３つのサブレイヤを含む、信号プロトコルである。これらは、ハンドオーバーを含む、無線および固定チャンネルのセットアップ、メンテナンス、および終端を制御するように、無線リソース管理サブレイヤを含む。移動性管理サブレイヤは、位置更新および登録手順を管理し、認証を保証する。接続管理サブレイヤは汎用通話制御を処理し、補完サービスおよびショートメッセージサービスを管理する。ホームロケーションレジスタ（ＨＬＲ）および在圏ロケーションレジスタ（ＶＬＲ）等の異なるエンティティの間の信号伝達は、第７信号方式の最上レイヤのトランザクション機能応用部（ＴＣＡＰ）上に構築されるモバイルアプリケーション部（ＭＡＰ）によって実施できる。
【００５５】
無線リソース管理（ＲＲＭ）サブレイヤは、典型的には、移動局とＭＳＥとの間の無線および固定リンク確立を監視する。
【００５６】
また、汎用パケット無線サービス（ＧＰＲＳ）ネットワークへの機能強化として、ＧＳＭ（登録商標）エボリューション（ＥＤＧＥ）のための拡張データ転送速度を使用することも可能である。ＥＤＧＥは、典型的には、異なる変調および符号化スキームのために、８位相偏移キーイング（８ＰＳＫ）およびガウス型最小偏移キーイング（ＧＭＳＫ）を使用する。３ビットの言葉が通常、それぞれの変化する搬送波位相のために生成される。速度適応アルゴリズムが、典型的には、無線チャンネルの品質ならびにデータ伝送のビットレートおよびロバスト性に従って、変調および符号化方式（ＭＣＳ）を適合させる。基地局は、典型的には、ＥＤＧＥの使用のために修正される。
【００５７】
図９〜１９は、非限定的実施例として図１〜７に示されるもの等の通信デバイス２０が、上記で説明されるような受動磁気タグ（またはＮＦＣタグ）と同様に、この実施例で受動デバイスとして動作する互換名刺ホルダ５０等を用いて、連絡先情報を電子的に転送する時の詳細を示す。図示されるような名刺ホルダ５０は、非限定的実施例として、後部においてデバイス２０に接触するためのインターフェース５２と、名刺をスキャンすることができる、または情報をキーパッド上で入力することができる、ヒンジ結合カバー５４およびデータ入力点５６とを含む。プロセッサ回路５７は、名刺ホルダの操作のための一般的機能およびその関連機能、例えば、ＮＦＣ回路、スキャン回路、またはキーボードを提供する。
【００５８】
図１０に示されるように、少なくとも１つの磁石５８が名刺ホルダに組み込まれ、携帯用無線通信デバイス２０内のホール効果センサ２６（または他のセンサ）によって感知される。この実施例でのホール効果または他のセンサ５９は、インターフェース５２に位置付けられる。ホール効果センサ２６は、非限定的実施例では、図８に示されるもの等の近距離通信（ＮＦＣ）回路（またはサブシステム１３２）を起動するように、磁石５８を感知する。一側面では、受動ＮＦＣタグ６０がカードホルダに組み込まれ、デバイス２０によって読み取られる。この実施例では、デバイス２０は、Ｂｌｕｅｔｏｏｔｈ（登録商標）接続と比較して、限定された量のデータを転送および交換するために近距離通信が確立されている、図１１に示されるようにタグが空白であることを判定する。
【００５９】
図１２は、プリケーションによって駆動されたポップアップウィンドウ３４ａが、タグが空白であることを提示し、ユーザがそれをプログラムすることを所望するかどうかを尋ねる、携帯用無線通信デバイス２０のディスプレイ３４を示す。携帯用無線通信デバイス２０は、図１３に示されるように、名刺ホルダ５０から分離することができ、その時に、デバイスは、書き込まれる名刺データに関して、ディスプレイ３４上に表示される情報の例（図１４）によって示されるもの等の名刺データをカードホルダ５０にプログラムすることを希望する場合にユーザに指示している。名刺ホルダ５０（ＮＦＣタグとも呼ばれる）は、図示されるように２つのデバイスを一緒に接触させることによって再スキャンされ、データが図１５に示されるように書き込まれる。図１６では、アプリケーションは、データが（ＮＦＣタグとしての）名刺ホルダに書き込まれ、名刺ホルダ（ＮＦＣタグ）からデバイスを除去するためには「ｏｋ」をクリックするようにユーザに知らせるインターフェースとして、ポップアップ画面１３４ａをディスプレイ１３４上に表示する。カードホルダ５０およびデバイス２０の分離を伴う図１７に示されるように、タグとしてのプログラムされた名刺ホルダが再スキャンされる場合（図１８）、記憶された名刺データが、ディスプレイ１３４上に示され、図１９に描写されるように表示される。
【００６０】
カードホルダがＢｌｕｅｔｏｏｔｈ（登録商標）通信モジュールを含む場合、Ｂｌｕｅｔｏｏｔｈ（登録商標）接続を非限定的実施例として使用することができる。一方のデバイス内の固定磁石が、他方のデバイス内のＮＦＣ回路を「起動」するために使用され、その後に、Ｂｌｕｅｔｏｏｔｈ（登録商標）接続を確立するための近距離通信を使用する、通信プロトコルのためのデータ交換が続く、図１〜７に示されるデバイス２０、２２間通信の実施例でのＢｌｕｅｔｏｏｔｈ（登録商標）通信と比較して、図９〜１９のデバイス２０と名刺ホルダ５０との間に近距離通信を実装するため等、別の種類の無線接続を「起動」するために、ホール効果の磁気誘導が依然として使用される。ＮＦＣ通信は、通信プロトコルに関する必要なデータを交換するため、例えば、必要に応じて、個人識別番号（ＰＩＮ）またはセキュリティコードを交換するために使用することができる。また、場合によっては、近距離通信を確立することなくＢｌｕｅｔｏｏｔｈ（登録商標）通信を接続するために、ＰＩＮを伝送するようにホール効果スイッチを使用することも可能である。しかしながら、ほとんどの場合、ホール効果センサ２６は、ホール効果を介して他方のデバイスを感知する（「見る」）ために使用され、デバイスが相互に接触した、または相互に接近した（あるいは「キス」ジェスチャー）後に、ＮＦＣ回路が、他方のデバイス上のデータを読み取るように一方または両方のデバイス上で起動される。次いで、ＮＦＣ通信を使用して、読み取られたデータに基づいてＢｌｕｅｔｏｏｔｈ（登録商標）を使用すること等により、無線接続を確立することができる。結果として、無線接続を開始するように単純インターフェースが確立され、ＮＦＣ回路またはＢｌｕｅｔｏｏｔｈ（登録商標）回路を常時オンに維持するよりも、単純で低電力の方法およびシステムが使用されることを可能にする。
【００６１】
磁気誘導は、近距離通信回路を「起動する」ために初期短距離通信として使用することができる。永久磁石の代わりに、以下で詳細に説明されるように、デバイス２０または他の受動デバイスで、図８に示される実施例１３５として電磁石を使用することができる。そのようなデバイスの使用は、別の通信アプローチを確立するのに役立つことができる。
【００６２】
（「キス」ジェスチャーを使用して）ホール効果センサを伴う図１〜７に対して説明されるように、いったん無線対合が確立されると、接続されたデバイス間の機能的相互作用が開始されることを理解されたい。一実施例での機能的相互作用は、デバイスの一方または両方で作動している現在のアプリケーション、または対合デバイスのうちのいずれか１つによって利用可能なアプリケーションサービスのうちのいずれかに基づいて判定される。例えば、一方のデバイスが、デバイス間のアドレスの交換を可能にするインスタントメッセンジャー（ＩＭ）アプリケーションである時に、デバイス間対合に基づいて、アドレス帳交換が示唆される。別の実施例では、カレンダーアプリケーションである時のデバイス間対合に応じて、会議のスケジューリングが提案される。さらに別の実施例では、プリンタが図９〜１９の名刺ホルダに関して説明される種類と同様なもの等の記憶データタグを伴うＮＦＣを含む時に、プリンタデバイスとの対合に応じて、ユーザが何を印刷するか尋ねられる。限定された量のデータが、この実施例で伝送される。
【００６３】
しかしながら、潜在的な対立が存在する、いくつかの場合があり、例えば、デバイス間対合の一部としての第１のデバイスがインスタントメッセンジャーアプリケーションであり、他方のデバイスがカレンダーアプリケーションである場合である。アドレス帳交換が最初に生じるかどうか、または予定された会議が最初に提案されるべきかどうかといった、問題が発生する。デバイスにプログラムされる優先規則がある。例えば、アプリケーションソフトウェアは、インスタントメッセンジャーアプリケーションに、カレンダーアプリケーションが後に続く優先権を持たせ、したがって、アドレス帳交換が最初に生じ、その後に予定された会議の提案が続く。
【００６４】
また、無線対合に基づいて、デバイスモードまたはアプリケーションが自動的に選択されることも可能である。例えば、携帯用無線通信デバイス２０が提示を実行するコンピュータと対合する場合、デバイスは自動的に「遠隔制御」モードになってもよい。別の実施例では、例えば、記憶データを有し、コーヒーメーカーのプロセッサとともに動作可能である、コーヒーメーカー上のタグとの対合に応じて、ユーザには、コーヒーメーカーに対する構成オプションが提示される。他のオプションは、車両との対合に応じて、車のドアを開くオプションおよび車を始動させるオプションをユーザに提示すること、または遠隔場所からのＷｉＦｉ上のＩＰベースの接続であるＰＶＲとの接続に応じて、パーソナルビデオレコーダ（ＰＶＲ）を制御および／または使用するオプションをユーザに自動的に提示することを含む。当然ながら、それぞれの場合において、制御されるデバイスは、制御のためにデバイスに応答するための適切なプロセッサを含む。通信デバイス２０はまた、一実施例では、例えば、地下鉄に入る時に地下鉄の運賃を支払う、または以下で説明されるように店で品物の支払いを済ませる時に仮想領収書を受領する、受動付属品の役割も果たす。
【００６５】
また、特定のシステムとの対合に応じて入力されるソースに関する情報を中継するために、デバイスモードになることも可能である。例えば、ユーザが店でタグまたは他のデバイスと相互作用すると、小売店に関係するデータが提供される。一実施例でのチケットおよび映画情報が、映画館の外のタグに触れると、映画館で提示され、またはクーポン等の割引価格が、タグに触れると、ある場所で提示される。別の実施例では、ステレオまたはテレビとの対合に応じて、音楽、ビデオ、または写真がデバイスを通して提示または共有される。一実施例では、「現在の番組」の通知等の通知をユーザがクリックすることを介して、開始が生じ、またはおそらく、ユーザがどの画像を見たいかを選択するコンテンツが記録に取られる。現在選択されている画像が初期設定により示されるものであることが可能である。
【００６６】
別の実施例では、万歩計（登録商標）を含む靴との対合に応じて、ユーザの歩行に関する情報が提示され、靴の記憶スペースがさらなるデータのために解放される。上述のように、別の実施例では、ＰＩＮ番号および暗号キーが確立され、前述のようにＢｌｕｅｔｏｏｔｈ（登録商標）接続（またはＷｉＦｉ）を実装するための設定通信として近距離通信を使用して伝送される。一実施例では、分割されるトリッドが作成され、モジュールがＢｌｕｅｔｏｏｔｈ（登録商標）チップを通して駆動され、ＧＮＳＳから位置付ける際にミリメートル精度でＡｕｔｏ−ＢＡＨＮ信号として使用される。充電チップの制御により、いくらかの情報が返信される。接続し、「触覚動作」として自動対合および接続を確立するためのトリガを用いて、視覚インターフェースが利用可能である。また、両方のデバイスが「伝送および受信」を行うように、磁石または内蔵ＲＦＩＤモジュールを有することも可能である。
【００６７】
一実施形態によれば、磁気ステッカーは、ＩＰアドレス、プリンタ名、Ｂｌｕｅｔｏｏｔｈ（登録商標）サービスセット識別子（ＳＳＩＤ）、またはセキュリティキーに関するデータ等の、知的システムに関する情報または他のデータを含む。ホール効果は、一実施例では、両方のデバイス間の通信をオンにし、それぞれがどのような接続を確立しようとしているかを判定するように「伝送および受信」を達成する。デバイスは、それぞれがどのようなプロトコルおよび技術を使用しているかを判定し、交渉して所望の接続を確立する。例えば、別のデバイスに触れ、写真の自動ダウンロードが生じる、写真アプリケーションにおいて、論理規則または通信プロトコルが共有される。
【００６８】
一実施例では、磁気タグは、記憶データを伴う場所ステッカーとして動作し、オフィスの全体を通して位置付けられ、それぞれ、以下で詳細に説明されるようにデバイスで実装される異なる機能を有する。そのようなタグは、概して、ＲＦＣタグと呼ばれている。これらの場所ステッカーは、磁気タグと同様であり、おそらく接着剤またはテープあるいは他の永久または半永久手段によって、異なる場所で「貼り付けられる」ため、ステッカーと称される。個人が会議室に入る場合、個人がデバイスをタグに触れさせ、タグまたは場所ステッカーがどのようにプログラムされているかに応じて、おそらく１時間にわたって携帯用無線通信デバイスプロファイルを「サイレント」モードに切り替えることができる。ユーザのデバイスがオフィスに入ると、場所ステッカーに触れ、デバイスから卓上電話に転送するインスタントメッセンジャーアプリケーションインターフェースまたは通話を取得することが可能である。したがって、誰かがジェスチャーを実装し、デバイス２０をステッカーに触れさせることによって、典型的には手動で実施されるユーザインターフェースアプリケーションのうちのいくつかが、単一の「ジェスチャー」で自動的に達成され、デバイスが設定される。ユーザは、画面を視覚的に見る必要がないが、ジェスチャーを行い、デバイスで場所ステッカーまたは他の磁気タグに触れる。「触れる」ジェスチャーを使用する他のアプリケーションは、信号強度を判定し、通信デバイスを調整し、通信のための費用制御を実装する。
【００６９】
図２０は、種々の磁気タグ２３０または前述のような「ステッカー」が異なる領域に位置する、オフィス環境２００を示す。オフィス環境２００は、図示されるように２つの小個室２０２、２０４を含むが、多くの小個室およびオフィスがオフィス環境２００内に位置すると理解されたい。オフィスの入口２０６が片側に図示され、会議室の入口２０８が反対側に図示されている。プリンタ２１０が小個室１の外に位置し、フォトイメージャ２１２が小個室２の外に位置する。各小個室は、それぞれのコンピュータ２１４、２１６を含む。スピーカ２２０が小個室の上に位置する。図示されるように、タグがオフィスの入口２０６および会議室の入口２０８に位置する。タグ２３０は、プリンタ上に位置する。一実施例では、タグは、プリンタ内の処理回路ともに動作する。タグ２３０は、フォトイメージャ２１２の上に位置する。一実施例では、タグはフォトイメージャ処理データとともに動作する。タグ２３０は、小個室１および２の間の小個室壁にも位置する。タグ２３０は、スピーカ２２０の上に位置する。タグ２３０は、各小個室２０２、２０４内に位置し、また、各コンピュータ２１４、２１６の上にも位置し、処理回路とともに動作する。これらのタグは、以前に説明されたように、ＮＦＣ回路を含む通信デバイスに対する機能性を有する。例えば、ユーザがオフィスの入口２０６を通って入り、ある機能が通信デバイスにおいて起動される。
【００７０】
例えば、ユーザが小個室の中にいて、通信デバイスが呼出モードになる必要がないため、電話が「サイレント」モードになることが可能である。誰かが会議室に入り、デバイスで会議室の入口にあるタグ２３０に触れた場合に同じことが起こる。また、小個室を使用しな誰かが、２つの小個室の間の小個室空間に位置するタグ２３０に触れた場合には、場所と、小個室壁上に図示および印刷されるようなデザインセンター等の、どのような種類のオフィスを通って歩いているかを伝える。一実施例では、スピーカ２２０が図示され、ユーザは、通信デバイスでタグ２３０に触れ、音楽をダウンロードまたはアップロードして、音楽をスピーカで再生させる。小個室のそれぞれにおけるタグ２３０は、例えば、カレンダープログラムを起動するにように触れられる。コンピュータにおけるタグ２３０が触れられた場合には、一実施例では、コンピュータが操作されて提示を実行し始めるか、またはデバイスがＢｌｕｅｔｏｏｔｈ（登録商標）またはＷｉＦｉを使用する等して、通信デバイスを通してコンピュータを制御するための「遠隔制御」モードになる。
【００７１】
小個室内のタグ２３０に触れることによって、例えば、コーヒーメーカーとの対合に応じて、デスクにあるコーヒーメーカーを操作するための構成オプションがユーザに提示されることが可能である。プリンタ２１０におけるタグ２３０が触れられた場合には、一実施例では、プリンタ２１０は、デバイスとプリンタとの間にＢｌｕｅｔｏｏｔｈ（登録商標）またはＷｉＦｉ接続を引き起こすこと等によって、ある文書を印刷するように命令される。フォトイメージャタグ２３０が触れられた場合、フォトイメージャ２１２は、通信デバイスから写真を受信し、写真を印刷し始めることができる。これらは、ＮＦＣ回路を起動すること、プロトコル情報または他のデータを交換すること、およびデバイスにＢｌｕｅｔｏｏｔｈ（登録商標）、ＷｉＦｉ、サイレント、または他の機能を行わせること等の機能を確立するために、どのようにタグ２３０が使用されるかという非限定的実施例にすぎない。
【００７２】
一実施例では、デバイス上の形状およびステッカーまたはタグ２３０の形状は、同様に構成され、磁石は、機能性を促進するように適切な場所で触れられると理解されたい。１つのデバイスがインスタントマネージャアプリケーションにある時に、デバイス間対合に基づくアドレス帳交換等の他の機能が可能である。別の実施例では、カレンダーアプリケーションにある時、または会議室に入る時に、デバイス間対合に応じて、会議のスケジューリングが提案される。会議スケジュールおよびカレンダーアプリケーションは、会議で話し合うために自動的に提起される。他の可能性は、タグが車両上に位置する場合に、車両との対合に応じて、車のドアを開くオプションおよび車を始動させるオプションがあるユーザ、またはパーソナルビデオレコーダとの接続に応じて、パーソナルビデオレコーダ（ＰＶＲ）を制御および／または使用するオプションをユーザに自動的に提示することを含む。これは、一実施例では、遠隔場所からのＷｉＦｉ上のＩＰベースの接続である。デバイスはまた、別の実施例では、地下鉄に入る時に地下鉄の運賃を支払う、または店で支払いを済ませる時に仮想領収書を受領する等の、受動付属品の役割も果たす。
【００７３】
場所モードは、一実施例では、図２０のオフィス環境に該当する。ユーザが小個室領域を通過し、小個室１および２の間の空間上のタグ２３０に触れると、このＮＦＣ対応タグが場所およびオフィスの種類を伝える。したがって、ユーザが文脈上重要な場所に近接しているとして「検出」されると、システムおよびデバイスが動作をトリガする。例えば、検出されたユーザは、そのユーザの企業カレンダーアプリケーションの中にあってもよい、会議のための正しい場所にすでにいてもよい。ユーザは、自分がすでに会議にいるはずであることを知っているため、警告インジケータを受信しない。ユーザがモバイルデバイスの改良された有用性／挙動に気付くことによる、何らかの「暗示的」検出能があってもよい。これは、状況または地理的場所にかかわらず、無線デバイスが典型的には同じように挙動する時の不利点を克服する。例えば、たとえユーザがすでに会議にいても、会議のリマインダ等のカレンダーイベントがトリガされてもよい。
【００７４】
電話またはコンピュータ等のオフィス内の一般的デバイスは、ユーザがオフィスにいる時をデバイスが「知る」ように、図２０に示されるようにタグ付けされるか、またはデバイス上で別様に識別される。これは、デバイスの挙動またはオフィス内の他のデバイスを変更するために使用することができる。例えば、ユーザのデバイスが「同僚と会う」という午前９時のカレンダー項目を有し、会議がユーザのオフィスまたは小個室である場合には、ユーザのデバイスは、ユーザの卓上電話と通信して、会議中に着信音をオフにしてもよい。デバイスはまた、ユーザが近くにいる時にタイムレコーダ等の他のデバイスを起動するように事前タグ付けすることもできる。Ｂｌｕｅｔｏｏｔｈ（登録商標）またはＷｉＦｉ等の無線プロトコルが使用されてもよい。ユーザの場所に関するデータをデバイスに提供するために、ＧＰＳ、磁気場所および同様の機能等の地理および近接性信号が使用されてもよい。
【００７５】
図２１は、図２０のオフィス環境で使用されるようなプリンタ３１０を図示する。プリンタは、前述の種類の受動磁気タグ３３０を含む。タグは、種々の技法によってプリンタ上に貼り付けることができる。それは、デバイス内のＮＦＣ回路を起動することに関して図９〜１９内の名刺ホルダに対して説明されるような基本タグ機能を含む。プリンタ３１０は、プロセッサ３４０と、Ｂｌｕｅｔｏｏｔｈ（登録商標）またはＷｉＦｉ通信モジュール３５０とを含む。この特定の実施例では、小個室１または小個室２内のユーザは、図１に示されるような通信デバイス２０を取り、磁気タグ３３０に触れることができる。これは、確立されるＮＦＣ回路およびＮＦＣ通信プロトコルが交渉し、Ｂｌｕｅｔｏｏｔｈ（登録商標）またはＷｉＦｉモジュール３５０とのＢｌｕｅｔｏｏｔｈ（登録商標）またはＷｉＦｉ接続を起動することを可能にする。通信デバイスは、データをプリンタプロセッサ３４０にダウンロードし、ページが印刷されることを可能にする。代替として、タグ３３０は、プロセッサに接続され、印刷するためにプロセッサに送信される記憶データを有するか、またはプリンタに転送するために通信デバイスからデータを受信する。別の実施例では、このタグ３３０は、通信デバイス２０から転送される情報を用いて受動タグとしてプログラム可能である。このタグ３３０はまた、一実施例で前述のように、ＩＰアドレス等の識別子を有する。ユーザがオフィス空間を去り、戻って再びタグに触れると、通信デバイスは、自動的にＩＰアドレスを知り、そのプリンタ３１０と連動するように構成される。
【００７６】
タグはまた、磁気タグおよびステッカーとも呼ばれ、図示されるように載置部材３３２を含む。この載置部材３３２は、粘着テープ、マジックテープ（登録商標）取付部、または他の粘着あるいは磁気取付部（支持表面が金属である場合）となり得る。異なる実施例で実装される、機能性を伴う１型、２型、３型、および４型タグがある。いくつかのタグは、使用される際に読み取り専用であり、他のタグは、読み書きである。ある実施例では、タグのうちのいくつかは、単一状態であり、読み取り専用である。タグは、いくつかの実施例では、９６バイトプラス６バイトＯＴＰプラス２バイト金属ＲＯＭのメモリ能力を有する。他は４８バイトであり、いくつかは１Ｋｂｙｔｅであり、他は可変である。タグの他の実施例は、読取専用にロック可能であり、いくつかは、別の実施例で１６または３２バイトデジタル署名のためのセキュリティを含む。磁石３３４は、相互との「キス」構成で配置された時に通信デバイス内のＮＦＣ回路を起動するように図示および構成される。データ記憶部３３６が図示されている。筐体３３８は、磁石３３４を支持し、磁石を保持する。磁石は、通信デバイス内のＮＦＣ回路を起動し、ＮＦＣ通信プロトコルを使用して通信するよう、通信デバイスによって保持される磁気センサによって自動的に感知されるように構成される。データ記憶部３３６は、磁石によって磁気的に結合される通信デバイスの機能に関するデータを記憶する。データ記憶部は、ＮＦＣ回路が起動された後に、ＮＦＣ通信プロトコルを使用して通信デバイスによって読み取られるように構成される。タグは、通信デバイスの機能に関してデータ記憶部内に記憶された命令に基づいて相互作用するように、作業空間内に載置される。データ記憶部３３６は、いくつかの実施例では、ＲＯＭまたは公知であるような他の記憶装置として形成され、他の回路または他のプログラム可能デバイスと協働することができる。磁石は、通信デバイスによってデータ記憶部を読み取り、使用することができるように、通信デバイス上の磁気センサに係合し、通信デバイス内のＮＦＣ回路を起動するよう動作するように異なる場所に位置付け、構成することができる。
【００７７】
タグまたはステッカーは、一実施例では、通信デバイスによって認識可能である形状として形成される。例えば、タグは、幾何学形状として形成され、磁石は、幾何学形状に基づいてタグまたはステッカー上の所定の位置に構成されるか、または位置付けられる。通信デバイスは、タグまたはステッカー上の磁石が通信デバイス上の磁気センサと整列するように、その磁気センサを配向させる。タグまたはステッカーは、ＮＦＣ回路を有効にするように、通信デバイスがある配向でタグまたはステッカーに対して位置付けられるように構成される。別の実施例では、ＮＦＣ回路を有効にするために、参照マークを使用して、通信デバイスがタグまたはステッカーと整列されるように、タグまたはステッカーおよび通信デバイスの両方の上に参照マークが含まれる。図２１では、参照マークが参照３３９で示されている。この実施例では、参照マーク３３９は、小突起として形成される。
【００７８】
図２２は、別の実施形態を示し、ホール効果センサ等の磁気センサ４２６を使用し、永久磁石の代わりに電磁石４２４と併せて動作する、通信デバイス４２０、４３０を示す。筐体４３０、キーボード４３２、およびディスプレイ４３４等の他の詳細が図示されている。電磁石４２４おとびセンサ４２６は、この実施例では、デバイスの最上部４３６に位置する。使用される電磁石は、例えば、図８では、参照数字１３５で示された電磁石として図示されている。この電磁石４２４は、通信信号としてエネルギーのパルスを伝送する。この限定されたデータは、ホール効果センサ等のそのセンサ４２６を通して受信し、Ｂｌｕｅｔｏｏｔｈ（登録商標）接続を起動するための他方のデバイスへの十分な通信データとなり得るため、ＮＦＣ回路の起動を必要としない。他方のデバイス４２２の代わりに同じデバイス４２０上のセンサ４２６によって、電磁石からのエネルギーが不注意に受信され得るため、ホール効果センサ等のセンサと一方のデバイス内の電磁石４２４との間で、間隔が十分にされるべきである。電磁石によって使用されるエネルギーの量は、パルスがキスジェスチャーでセンサ４２６に伝送されることを可能にするように十分であるが、この磁石が位置付けられる同じデバイス上のセンサを起動するほど十分なエネルギーではない。間隔および距離は、必然的に、電磁石から伝送されるパルスにおけるエネルギーの量に依存する。
【００７９】
図２３は、通信デバイス５００の斜視図であり、上端部キャップが除去されており、デバイスの最上部に載置された磁気センサ５０２、磁石５０４、およびミニ近距離通信（ＮＦＣ）アンテナ５０８を示す。ホール集積回路（ＩＣ）が、この最上部に位置する（図示せず）。ＮＦＣコントローラ集積回路（ＩＣ）も、この一般領域の中にある（図示せず）。１つのユニットとして置換されるように、これらの異なる構成要素を形成することが可能である。端部キャップは、通信デバイスの最上部を覆い、取り除くことができ、構成要素は、交換を促進するように、１つの回路ユニットとして取り除くことができる。
【００８０】
図２４は、ユーザが移動する際にプロジェクタ５２０または他の周辺機器とシームレスに接続され、研究パートナー、会議、および重役会議にデバイス５００からのプレゼンテーションを行う、通信デバイス５００を示す。前述のようなタグ５３０は、図示されるようなプロジェクタ等の既存のハードウェア上に設置され、パーソナルコンピュータとプロジェクタとの間の接続を単純化するか、または通信デバイスに指図する。タグ５３０は、この実施例では、プロジェクタの後部付近に位置する。一実施例では、ヘッドセット等の付属品が、識別タグとともに事前設置され、デバイスとのキスジェスチャーを使用してＢｌｕｅｔｏｏｔｈ（登録商標）対合を可能にする。別の実施例でのタグは、本明細書の上記で説明されるようなプリンタ上に設置され、利用可能なＷｉＦｉネットワークを通して、通信デバイスから印刷するために必要な関連データを提供するネットワーク経路を記憶する。図２４の説明図では、ユーザは、通信デバイスから近距離通信を立ち上げることに専心する必要なく、会話中にプロジェクタタグ５３０をスキャンする。
【００８１】
同様の実施例が、事前プログラムされた伝導性データを伴うタグである、製造業者または第三者のＢｌｕｅｔｏｏｔｈ（登録商標）カーキットにおいてカーステレオに組み込まれたタグ５３０を用いて達成される。タグは、既存のＢｌｕｅｔｏｏｔｈ（登録商標）ステレオに追加され、キスジェスチャーで通信デバイス５００を使用して、伝導性データをタグに書き込む。例えば、スピーカ２２０（図２０）では、通信デバイスを使用して、伝導性データをそのタグに書き込むことが可能である。これは、カーシステムへの接続および断絶のユーザ制御を与える。場合によっては、自動伝導性が所望されない。Ｂｌｕｅｔｏｏｔｈ（登録商標）は、通信デバイス上で動作中である必要はない。キスジェスチャーでタグをスキャンする行為が、Ｂｌｕｅｔｏｏｔｈ（登録商標）を立ち上げ、接続を確立する。キスタグは、一実施例では、ユーザプロファイルを変更し、ステレオスピーカを通してメディアプレーヤを接続し、能動ハンズフリー電話機能性を達成するようにスキャンされる。
【００８２】
図２５は、ユーザを予定到着および出発時間情報にリンクするように、タグ５３２が地下鉄端末５４０に取り付けられる、地下鉄駅におけるタグ５３２へのキスジェスチャーにより最初に接続された通信デバイス５００を示す。タグは、別の実施例では、バスターミナルで使用される。データ計画が必要とされない場合は、スケジュール全体がタグのオンボードメモリ上に記憶される。ユーザが混んだ地下鉄を通って歩く際に、単一のジェスチャーで更新された電車スケジュールをとらえることが可能である。これは、デバイスを見ることなく動作が行われ、上記で説明される自動車の実施例で道路を走る時にＮＦＣを起動するために、ソフトウェアメニューに眼を通す必要がない、利点と同様である。
【００８３】
図２６は、ユーザが、私生活およびレジャー活動から職業的生活を分離するように、通信デバイスを自動的に調整する、パーソナルコンピュータ５５０に通信して接続された通信デバイス５００を示す。他の実施例がたくさんある。タグ５３４は、職場で、またはオフィス内で設置され、ユーザが作業環境に入ったことを通信デバイス５００に通知するように迅速にスキャンされる。リンガープロファイルが自動的に切り替えられ、カレンダーイベントが変更される。自宅に到着すると、ユーザが自宅に戻り、それに応じて設定を調整することを通信デバイス５００に知らせるように、入口に、またはドッキングベイの一部としてタグが設置される。仕事をオフィスに残して、家庭およびレジャー活動用のカレンダーイベントが優先する。加えて、一実施例でのタグは、車内に配置され、ステレオとのＢｌｕｅｔｏｏｔｈ（登録商標）伝導性を自動的に開始し、ハンズフリー運転モードになる。再度、通信デバイス５００とのキスジェスチャーは、ユーザが移動する度にメニューを通して推移する必要を排除し、場所の把握および利便性を煩わしくなくする。
【００８４】
図２７は、ユーザがメディアにアクセスするようにＢｌｕｅｔｏｏｔｈ（登録商標）対合およびグループを有する、メディア中心の代替案を示す。例えば、父親が自分または息子の通信デバイス５００を使用し、通信接続を介してマルチプレーヤゲームに従事する。空港で待っている間に近日公開予定映画のポスター上のタグ５３６をスキャンすることによって、人気のカルチャーおよびメディアに関する情報に追い着いていくことが可能である。デバイス５００は、放映時間、論評、および地元のチケット販売を提供するウェブサイトを即座に立ち上げる。チケットは、他のグループを介して息子とイベントを共有するように、デバイスから直接注文される。したがって、ユーザがシームレスにデータをとらえる。
【００８５】
図２８は、キスジェスチャー、その後に続くＮＦＣの起動、磁気検出およびＢｌｕｅｔｏｏｔｈ（登録商標）中に発生する活動のＴ０、Ｔ１、Ｔ２、Ｔ３、Ｔ４、およびＴ５としての時間に対するタイミング図を示す。Ｂｌｕｅｔｏｏｔｈ（登録商標）接続は、通信セッションが終了する時に終了するため、終了が示されていない。
【００８６】
図２９は、互換名刺ホルダ６５０等を用いて連絡先情報を転送し、この実施例では、前述のような受動磁気タグ（または受動ＮＦＣタグ）と同様の受動デバイスとして動作することができる、通信デバイス６２０を示す、別の実施形態を図示する。それはまた、説明されるように能動的に動作することもできる。しかしながら、図９〜１９に対する実施形態で図示されるような磁気検出を使用する代わりに、図８の加速度計１３７に関して説明される種類等の振動センサとしての加速度計６２１が使用される。図示されるような名刺ホルダ６５０は、非限定的実施例として、後部においてデバイス６２０に接触するためのインターフェース６５２と、名刺をスキャンすることができる、または情報をキーパッド上で入力することができる、ヒンジ結合カバー６５４およびデータ入力点６５６とを含む。プロセッサ回路６５７は、名刺ホルダの操作のための一般的機能およびその関連機能、例えば、ＮＦＣ回路、スキャン回路、またはキーボードを提供する。以前に説明されたような種類のＮＦＣタグ６６０が含まれる。通信デバイス６２０は、筐体６３０、キーパッド６３２、およびディスプレイ６３４等の、以前の図に対して説明されるような同様の構成要素を含む。
【００８７】
加速度計６２１は、ＮＦＣ自動タグ検出（および自動ピアツーピア検出）を実装する。加速度計６２１は、カードホルダ６５０のタグ６６０または同様の受動デバイスに対するデバイスのタッピングを認識し、すなわち、振動を認識する。ＮＦＣ回路を起動するためにホール効果センサおよび磁石を使用する代わりに、回路は、この実施例では、振動センサおよび加速度計として、タップ認識を使用する。デバイスが、別のオブジェクト、例えば、ＮＦＣタグ６６０に対してタップされると、ある加速度計パラメータを満たしている、または超えている事項として、プロファイルが生成されることを理解されたい。プロファイルが既知のタッププロファイルと比較された場合、ＮＦＣ回路を起動し、通信を開始する。
【００８８】
上述のように、通信デバイス６２０は、加速度計６２１を含む。加速度計６２１は、圧電要素に基づくセンサとして形成することができる。一実施例での加速度計６２１は、容量加速度計等の微小電気機械システム（ＭＥＭＳ）を含む。圧電、ピエゾ抵抗、およびガスベースの加速度計を含む、他の加速度計が使用される。一例として、一実施形態では、加速度計は、ＳＴＭｉｃｒｏｅｌｅｃｔｒｏｎｉｃｓ（Ｇｅｎｅｖａ，  Ｓｗｉｔｚｅｒｌａｎｄ）からのＬＩＳ３Ｌ０２ＡＱ３軸アナログ加速度計である。いくつかの実施形態では、単一の統合デバイス、例えば、ＳＴＭｉｃｒｏｅｌｅｃｔｒｏｎｉｃｓからのＩ２ＣまたはＳＰＩインターフェースを伴うＬＩＳ３Ｌ０２ＤＱ３軸加速度計が使用される。振動センサとしての適切な加速度計の選択は、一実施例では、周波数応答範囲およびタッピング中の通信デバイスの感度応答に基づく。
【００８９】
一実施例では、２軸加速度計が使用され、ｘ軸信号およびｙ軸信号を出力する。３軸デバイスは、一実施例では、直交するｘ、ｙ、およびｚ軸に対する信号を出力する。出力信号は、軸方向の加速力に比例するアナログ電圧である。例えば、少なくとも１つの３軸加速度計は、１．７ｇの正および負の直線加速度の範囲に対応する電圧を出力する。実施形態例での加速度計は、出力信号を調節するための種々のフィルタ、信号調節器等を含む。
【００９０】
前述の説明および関連図面において提示される教示の便益性を有する、本発明の多くの修正および他の実施形態が、当業者に想起されるであろう。したがって、本発明は、開示される具体的実施形態に限定されるものではなく、修正および実施形態は、添付の特許請求の範囲内に含まれるように意図されていることを理解されたい。
（項目１）
筐体と、
磁石であって、該磁石は、該筐体によって保持され、該磁石は、磁気センサによって磁気的に感知されるように構成されており、該磁気センサは、通信デバイスによって保持され、該通信デバイスは、ＮＦＣ通信プロトコルを用いて通信するために、該通信デバイス内のＮＦＣ回路を起動する、磁石と、
データ記憶部であって、該データ記憶部は、該通信デバイスの機能に関するデータを記憶し、該通信デバイスは、該磁石によって磁気的に結合され、該データ記憶部は、該ＮＦＣ回路が起動された後に、該通信デバイスによって、ＮＦＣ通信プロトコルを用いて読み取られるように構成されている、データ記憶部と
を含む、近距離通信（ＮＦＣ）タグ。
（項目２）
プロセッサをさらに含み、該プロセッサは、上記データ記憶部に接続されており、該プロセッサは、該データ記憶部内に記憶されたデータを変化させるように構成されている、項目１に記載のＮＦＣタグ。
（項目３）
ＮＦＣ回路をさらに含み、該ＮＦＣ回路は、上記筐体によって保持され、該ＮＦＣ回路は、上記プロセッサに接続され、該プロセッサは、上記通信デバイスから受信された命令に基づいて、上記ＮＦＣ通信プロトコルを用いて、プログラム可能なように構成されている、項目１に記載のＮＦＣタグ。
（項目４）
通信を開始するために表面に取り付けられるステッカーであって、
該ステッカーは、
支持部と、
磁石であって、該磁石は、該支持部によって保持され、該磁石は、磁気センサによって磁気的に感知されるように構成されており、該磁気センサは、通信デバイスによって保持され、該通信デバイスは、ＮＦＣ通信プロトコルを用いて通信するために、該通信デバイス内のＮＦＣ回路を起動させる、磁石と、
データ記憶部であって、該データ記憶部は、該通信デバイスの機能に関するデータを記憶し、該通信デバイスは、該磁石によって磁気的に結合され、該データ記憶部は、該ＮＦＣ回路が起動された後に、該通信デバイスによって、ＮＦＣ通信プロトコルを用いて読み取られるように構成されている、データ記憶部と
を含む、ステッカー。
（項目５）
上記データは、Ｂｌｕｅｔｏｏｔｈ（登録商標）  ＳＳＩＤおよびセキュリティキーを含む、項目４に記載のステッカー。
（項目６）
上記ステッカーは、上記通信デバイスによって認識可能である形状を含む、項目４に記載のステッカー。
（項目７）
上記ステッカーは、上記通信デバイスを整列するための参照マークを含む、項目４に記載のステッカー。
（項目８）
複数の近距離通信（ＮＦＣ）タグであって、該複数の近距離通信（ＮＦＣ）タグは、作業空間中に分散されており、
各ＮＦＣタグは、
筐体と、
磁石であって、該磁石は、該筐体によって保持され、該磁石は、磁気センサによって磁気的に感知されるように構成されており、該磁気センサは、通信デバイスによって保持され、該通信デバイスは、該通信デバイス内のＮＦＣ回路を起動させ、ＮＦＣ通信プロトコルを用いて通信する、磁石と、
データ記憶部であって、該データ記憶部は、該通信デバイスの機能に関するデータを記憶し、該通信デバイスは、該磁石によって磁気的に結合され、該データ記憶部は、該ＮＦＣ回路が起動された後に、該通信デバイスによって、ＮＦＣ通信プロトコルを用いて読み取られるように構成されている、データ記憶部と
を含み、
各ＮＦＣタグは、該作業空間内に載置されることによって、該データ記憶部内に記憶された該通信デバイスの機能に関する命令に基づいて、相互作用する、通信システム。
（項目９）
上記データは、Ｂｌｕｅｔｏｏｔｈ（登録商標）  ＳＳＩＤおよびセキュリティキーを少なくとも１つのＮＦＣタグに含む、項目８に記載の通信システム。
（項目１０）
プロセッサをさらに含み、該プロセッサは、上記データ記憶部に接続されており、該プロセッサは、該データ記憶部内に記憶されたデータを変化させるように構成されている、項目８に記載の通信システム。
（項目１１）
ＮＦＣ回路をさらに含み、該ＮＦＣ回路は、上記筐体によって保持され、該ＮＦＣ回路は、上記プロセッサに接続されており、該プロセッサは、上記通信デバイスから受信された命令に基づいて、ＮＦＣ通信プロトコルを用いてプログラム可能なように構成されている、項目１０に記載の通信システム。
（項目１２）
通信デバイスにおいて通信を始動させる方法であって、
該方法は、
該通信デバイスを近距離通信（ＮＦＣ）ステッカーへ磁気的に結合させることと、
該ＮＦＣステッカーへ磁気的に結合させることに応答して、後続の通信の間に該ＮＦＣ通信プロトコルを用いて、該通信デバイスに含まれるＮＦＣ回路を起動させることと、
該ＮＦＣステッカーから、該通信デバイスの機能に関する記憶されたデータを受信することと
を含む方法。
（項目１３）
上記ＮＦＣステッカー内に記憶された任意のデータを変化させることをさらに含む、項目１２に記載の方法。
（項目１４）
上記ステッカーの形状を、上記磁気作的な結合の工程の間に認識することをさらに含む、項目１２に記載の方法。
（項目１５）
上記磁気的な結合の工程の間に、上記通信デバイスを上記ステッカー上の参照マークへ整列させることをさらに含む、項目１２に記載の方法。
【図１】
2013506317.tif 000003
【図２】
2013506317.tif 000004
【図３】
2013506317.tif 000005
【図４】
2013506317.tif 000006
【図５】
2013506317.tif 000007
【図６】
2013506317.tif 000008
【図７】
2013506317.tif 000009
【図８】
2013506317.tif 000010
【図９】
2013506317.tif 000011
【図１０】
2013506317.tif 000012
【図１１】
2013506317.tif 000013
【図１２】
2013506317.tif 000014
【図１３】
2013506317.tif 000015
【図１４】
2013506317.tif 000016
【図１５】
2013506317.tif 000017
【図１６】
2013506317.tif 000018
【図１７】
2013506317.tif 000019
【図１８】
2013506317.tif 000020
【図１９】
2013506317.tif 000021
【図２０】
2013506317.tif 000022
【図２１】
2013506317.tif 000023
【図２２】
2013506317.tif 000024
【図２３】
2013506317.tif 000025
【図２４】
2013506317.tif 000026
【図２５】
2013506317.tif 000027
【図２６】
2013506317.tif 000028
【図２７】
2013506317.tif 000029
【図２８】
2013506317.tif 000030
【図２９】
2013506317.tif 000031
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
筐体と、
磁石であって、該磁石は、該筐体によって保持され、磁気センサによって磁気的に感知されるように構成されており、該磁気センサは、通信デバイスによって保持され、該通信デバイスは、近距離通信（ＮＦＣ）通信プロトコルを用いて通信するために、該通信デバイス内のＮＦＣ回路を起動する、磁石と、
データ記憶部であって、該データ記憶部は、該通信デバイスの機能に関するデータを記憶し、該データ記憶部は、該ＮＦＣ回路が起動された後に、ＮＦＣ通信プロトコルを用いて、該通信デバイスによって読み取られるように構成されている、データ記憶部と
を含む、ＮＦＣタグ。
【請求項２】
前記データ記憶部に接続されたプロセッサをさらに含み、該プロセッサは、該データ記憶部内に記憶されたデータを変化させるように構成されている、請求項１に記載のＮＦＣタグ。
【請求項３】
前記筐体によって保持され、前記プロセッサに接続されたＮＦＣ回路をさらに含み、該プロセッサは、前記通信デバイスから受信された命令に基づいて、前記ＮＦＣ通信プロトコルを用いてプログラム可能なように構成されている、請求項２に記載のＮＦＣタグ。
【請求項４】
通信を開始するために表面に取り付けられるステッカーであって、
該ステッカーは、
支持部と、
該支持部によって保持されている磁石であって、該磁石は、磁気センサによって磁気的に感知されるように構成されており、該磁気センサは、通信デバイスによって保持され、該通信デバイスは、ＮＦＣ通信プロトコルを用いて通信するために、該通信デバイス内のＮＦＣ回路を起動させる、磁石と、
データ記憶部であって、該データ記憶部は、該通信デバイスの機能に関するデータを記憶し、該データ記憶部は、該ＮＦＣ回路が起動された後に、ＮＦＣ通信プロトコルを用いて、該通信デバイスによって読み取られるように構成されている、データ記憶部と
を含む、ステッカー。
【請求項５】
前記データは、Ｂｌｕｅｔｏｏｔｈ（登録商標）  ＳＳＩＤおよびセキュリティキーを含む、請求項４に記載のステッカー。
【請求項６】
前記ステッカーは、前記通信デバイスによって認識可能である形状を含む、請求項４に記載のステッカー。
【請求項７】
前記ステッカーは、前記通信デバイスを整列するための参照マークを含む、請求項４に記載のステッカー。
【請求項８】
複数の近距離通信（ＮＦＣ）タグを含む通信システムであって、
該複数の近距離通信（ＮＦＣ）タグは、作業空間全体に分散されており、
各ＮＦＣタグは、
筐体と、
該筐体によって保持されている磁石であって、該磁石は、磁気センサによって磁気的に感知されるように構成されており、該磁気センサは、通信デバイスによって保持され、該通信デバイスは、該通信デバイス内のＮＦＣ回路を起動させ、ＮＦＣ通信プロトコルを用いて通信する、磁石と、
データ記憶部であって、該データ記憶部は、該通信デバイスの機能に関するデータを記憶し、該データ記憶部は、該ＮＦＣ回路が起動された後に、ＮＦＣ通信プロトコルを用いて、該通信デバイスによって読み取られるように構成されている、データ記憶部と
を含み、
各ＮＦＣタグは、該作業空間内に載置されることによって、該データ記憶部内に記憶された該通信デバイスの機能に関する命令に基づいて相互作用する、通信システム。
【請求項９】
少なくとも１つのＮＦＣタグにおいて、前記データは、Ｂｌｕｅｔｏｏｔｈ（登録商標）  ＳＳＩＤおよびセキュリティキーを含む、請求項８に記載の通信システム。
【請求項１０】
前記データ記憶部に接続されたプロセッサをさらに含み、該プロセッサは、該データ記憶部内に記憶されたデータを変化させるように構成されている、請求項８に記載の通信システム。
【請求項１１】
前記筐体によって保持され、前記プロセッサに接続されたＮＦＣ回路をさらに含み、該プロセッサは、前記通信デバイスから受信された命令に基づいて、ＮＦＣ通信プロトコルを用いてプログラム可能なように構成されている、請求項１０に記載の通信システム。
【請求項１２】
通信デバイスにおいて通信を開始する方法であって、
該方法は、
該通信デバイスを近距離通信（ＮＦＣ）ステッカーへ磁気的に結合することと、
該ＮＦＣステッカーへ磁気的に結合することに応答して、後続の通信のために、該ＮＦＣ通信プロトコルを用いて、該通信デバイスに含まれるＮＦＣ回路を起動させることと、
該ＮＦＣステッカーから、該通信デバイスの機能に関する記憶されたデータを受信することと
を含む、方法。
【請求項１３】
前記ＮＦＣステッカー内に記憶された任意のデータを変化させることをさらに含む、請求項１２に記載の方法。
【請求項１４】
前記ステッカーの形状を、前記磁気的に結合するステップの間に認識することをさらに含む、請求項１２に記載の方法。
【請求項１５】
前記磁気的に結合するステップの間に、前記通信デバイスを前記ステッカー上の参照マークへ整列させることをさらに含む、請求項１２に記載の方法。
【手続補正２】
【補正対象書類名】明細書
【補正対象項目名】０００８
【補正方法】変更
【補正の内容】
【０００８】
本発明の他の目的、特徴および利点が、添付の図面に照らして考慮されると、以下の発明を実施するための形態から明白となるであろう。
例えば、本発明は以下の項目を提供する。
（項目１）
筐体と、
磁石であって、該磁石は、該筐体によって保持され、磁気センサによって磁気的に感知されるように構成されており、該磁気センサは、通信デバイスによって保持され、該通信デバイスは、近距離通信（ＮＦＣ）通信プロトコルを用いて通信するために、該通信デバイス内のＮＦＣ回路を起動する、磁石と、
データ記憶部であって、該データ記憶部は、該通信デバイスの機能に関するデータを記憶し、該データ記憶部は、該ＮＦＣ回路が起動された後に、ＮＦＣ通信プロトコルを用いて、該通信デバイスによって読み取られるように構成されている、データ記憶部と
を含む、ＮＦＣタグ。
（項目２）
上記データ記憶部に接続されたプロセッサをさらに含み、該プロセッサは、該データ記憶部内に記憶されたデータを変化させるように構成されている、項目１に記載のＮＦＣタグ。
（項目３）
上記筐体によって保持され、上記プロセッサに接続されたＮＦＣ回路をさらに含み、該プロセッサは、上記通信デバイスから受信された命令に基づいて、上記ＮＦＣ通信プロトコルを用いてプログラム可能なように構成されている、項目１に記載のＮＦＣタグ。
（項目４）
通信を開始するために表面に取り付けられるステッカーであって、
該ステッカーは、
支持部と、
該支持部によって保持されている磁石であって、該磁石は、磁気センサによって磁気的に感知されるように構成されており、該磁気センサは、通信デバイスによって保持され、該通信デバイスは、ＮＦＣ通信プロトコルを用いて通信するために、該通信デバイス内のＮＦＣ回路を起動させる、磁石と、
データ記憶部であって、該データ記憶部は、該通信デバイスの機能に関するデータを記憶し、該データ記憶部は、該ＮＦＣ回路が起動された後に、ＮＦＣ通信プロトコルを用いて、該通信デバイスによって読み取られるように構成されている、データ記憶部と
を含む、ステッカー。
（項目５）
上記データは、Ｂｌｕｅｔｏｏｔｈ（登録商標）  ＳＳＩＤおよびセキュリティキーを含む、項目４に記載のステッカー。
（項目６）
上記ステッカーは、上記通信デバイスによって認識可能である形状を含む、項目４に記載のステッカー。
（項目７）
上記ステッカーは、上記通信デバイスを整列するための参照マークを含む、項目４に記載のステッカー。
（項目８）
複数の近距離通信（ＮＦＣ）タグを含む通信システムであって、
該複数の近距離通信（ＮＦＣ）タグは、作業空間全体に分散されており、
各ＮＦＣタグは、
筐体と、
該筐体によって保持されている磁石であって、該磁石は、磁気センサによって磁気的に感知されるように構成されており、該磁気センサは、通信デバイスによって保持され、該通信デバイスは、該通信デバイス内のＮＦＣ回路を起動させ、ＮＦＣ通信プロトコルを用いて通信する、磁石と、
データ記憶部であって、該データ記憶部は、該通信デバイスの機能に関するデータを記憶し、該データ記憶部は、該ＮＦＣ回路が起動された後に、ＮＦＣ通信プロトコルを用いて、該通信デバイスによって読み取られるように構成されている、データ記憶部と
を含み、
各ＮＦＣタグは、該作業空間内に載置されることによって、該データ記憶部内に記憶された該通信デバイスの機能に関する命令に基づいて相互作用する、通信システム。
（項目９）
少なくとも１つのＮＦＣタグにおいて、上記データは、Ｂｌｕｅｔｏｏｔｈ（登録商標）  ＳＳＩＤおよびセキュリティキーを含む、項目８に記載の通信システム。
（項目１０）
上記データ記憶部に接続されたプロセッサをさらに含み、該プロセッサは、該データ記憶部内に記憶されたデータを変化させるように構成されている、項目８に記載の通信システム。
（項目１１）
上記筐体によって保持され、上記プロセッサに接続されたＮＦＣ回路をさらに含み、該プロセッサは、上記通信デバイスから受信された命令に基づいて、ＮＦＣ通信プロトコルを用いてプログラム可能なように構成されている、項目１０に記載の通信システム。
（項目１２）
通信デバイスにおいて通信を開始する方法であって、
該方法は、
該通信デバイスを近距離通信（ＮＦＣ）ステッカーへ磁気的に結合することと、
該ＮＦＣステッカーへ磁気的に結合することに応答して、後続の通信のために、該ＮＦＣ通信プロトコルを用いて、該通信デバイスに含まれるＮＦＣ回路を起動させることと、
該ＮＦＣステッカーから、該通信デバイスの機能に関する記憶されたデータを受信することと
を含む、方法。
（項目１３）
上記ＮＦＣステッカー内に記憶された任意のデータを変化させることをさらに含む、項目１２に記載の方法。
（項目１４）
上記ステッカーの形状を、上記磁気的に結合するステップの間に認識することをさらに含む、項目１２に記載の方法。
（項目１５）
上記磁気的に結合するステップの間に、上記通信デバイスを上記ステッカー上の参照マークへ整列させることをさらに含む、項目１２に記載の方法。
【国際調査報告】
2013506317.tif 000032
2013506317.tif 000033